(57)【要約】【課題】遊技領域を大きく確保することが可能な遊技機を提供すること。【解決手段】遊技球が流下する遊技領域が前面に形成された遊技盤と、遊技盤の遊技領域を前方から視認可能とする第１開口部（窓部１０１）を有して遊技盤の盤面を覆う前面扉 （前面枠セット１４）とを備える遊技機（パチンコ機１０）において、前面扉が、第１開 口部の外側に、前記遊技盤の遊技領域の少なくとも一部を前方から視認可能とする第２開 口部（中上開口部１０３Ｃ、左上開口部１０３Ｌ、右上開口部１０３Ｒ）を設ける。【選択図】      図１
2020073224.tif 000002
【特許請求の範囲】
【請求項１】
遊技球が流下する遊技領域が前面に形成された遊技盤と、前記遊技盤の遊技領域を前方から視認可能とする第１開口部を有して前記遊技盤の盤面を覆う前面扉とを備える遊技機であって、
前記前面扉が、前記第１開口部の外側に、前記遊技盤の遊技領域の少なくとも一部を前 方から視認可能とする第２開口部を有することを特徴とする遊技機。
【発明の詳細な説明】
【技術分野】
【０００１】
本発明は、パチンコ機に代表される遊技機に関するものである。
【背景技術】
【０００２】
パチンコ機などの遊技機は、発射された遊技球が案内されて流下する遊技領域が前面に
形成された遊技盤と、この遊技盤の盤面を前方からガラス等を通して視認可能な状態で覆
う前面枠等の部材（以下、この前面枠等のように、遊技盤を前方から覆う開閉可能な部材
を総称して「前面扉」とも称す）とを備えるものが一般的である。
【０００３】
前面扉には、上記遊技盤の遊技領域に対応して、略円形状の窓部（開口部）が形成され
、この窓部を通して遊技領域が前方から視認し得るように構成されているのが一般的とな
っている。
【先行技術文献】
【特許文献】
【０００４】
【特許文献１】特開２００４−６５９２３号公報
【発明の概要】
【発明が解決しようとする課題】
【０００５】
遊技機の寸法は規格化されていて一定となっているが、遊技領域に配置される液晶装置
が大型化してきていること等から、液晶装置以外の各種装置（役物）や釘等を配置するス
ペースを遊技領域内に確保することが困難になってきているという問題がある。
【０００６】
本発明は、かかる問題点に鑑みて案出されたものであり、遊技領域を大きく確保するこ
とが可能な遊技機を提供することを目的とする。
【課題を解決するための手段】
【０００７】
本発明にかかる遊技機は、上記目的を達成するために、
遊技球が流下する遊技領域が前面に形成された遊技盤と、前記遊技盤の遊技領域を前方
から視認可能とする第１開口部を有して前記遊技盤の盤面を覆う前面扉とを備える遊技機
であって、
前記前面扉が、前記第１開口部の外側に、前記遊技盤の遊技領域の少なくとも一部を前 方から視認可能とする第２開口部を有することを特徴とする。
【発明の効果】
【０００８】
本発明によれば、遊技機の前面において遊技領域を大きく確保することができる。
【図面の簡単な説明】
【０００９】
【図１】パチンコ機の一例を示す正面図。
【図２】パチンコ機の一例を示す正面側の斜視図。
【図３】遊技盤の一例を示す正面図。
【図４】パチンコ機の一例を示す背面図。
【図５】パチンコ機の電気的構成の一例を示すブロック図。
【図６】本願の第２実施形態に係るパチンコ機を示す正面図。
【図７】本願の第２実施形態に係るパチンコ機を示す正面側の斜視図。
【図８】図６のＩ−Ｉ線部模式矢視断面図。
【図９】図６のＩＩ−ＩＩ線部模式矢視断面図。
【図１０】従来の前面扉の一例を示す模式横断面図。
【図１１】本願の第３実施形態に係る前面扉を示す模式横断面図。
【発明を実施するための形態】
【００１０】
以下、本発明の最良の形態を、図面に基づいて詳細に説明する。ここでは、遊技機とし
てパチンコ遊技機（以下、単に「パチンコ機」という）を挙げる。
【００１１】
（パチンコ機正面側の構成）
図１はパチンコ機１０の正面図であり、図２はパチンコ機１０の斜視図である。図１お
よび図２に示すように、パチンコ機１０は、当該パチンコ機１０の外殻を形成する外枠１
１と、この外枠１１の一側部に開閉可能に支持された内枠１２とを備えている。以下に、
外枠１１と内枠１２との構成を個別に説明する。
【００１２】
上記外枠１１は、木製の板材により全体として矩形状に構成され、小ネジ等の離脱可能
な締結具により各板材が組み付けられている。なお、外枠１１は樹脂やアルミニウム等の
軽金属により構成されていてもよい。このように構成することにより、パチンコ機の軽量
化を図ることができるからである。
【００１３】
一方、上記内枠１２の開閉軸線はパチンコ機１０の正面からみてハンドル（後述する遊
技球発射ハンドル１８）設置箇所の反対側（図１のパチンコ機１０の左側）で上下に延び
るように設定されており、この開閉軸線を軸心にして内枠１２が前方側に十分に開放でき
るようになっている。このような構成とするのは、内枠１２の開閉軸線がハンドル設置箇
所側（図１のパチンコ機１０の右側）で上下方向にあるとすると、内枠１２を開放する際
に遊技球発射ハンドル１８の頭部等が隣なりのパチンコ機やカードユニット（球貸しユニ
ット）に干渉することになり、内枠１２を十分に開放できないからである。また、内枠１
２は合成樹脂、具体的にはＡＢＳ(アクリロニトリル−ブタジエン−スチレン）樹脂から
成る。こうすることで、粘性が高く衝撃に強くでき、低コストで製造できるという利点が
発揮される。
【００１４】
また、内枠１２は、大別すると、その最下部に取り付けられた下皿ユニット１３と、こ
の下皿ユニット１３よりも上側の範囲で内枠１２の左側の上下方向の開閉軸線を軸心にし
て開閉自在に取り付けられた前面枠セット１４と、図示しない樹脂ベースと、この樹脂ベ
ースの後側に取り付けられる後述の遊技盤３０とを備えている。これらの各構成を以下に
詳細に説明する。前面枠セット１４の構成については、後に具体的に記述する。
【００１５】
上記下皿ユニット１３は、内枠１２に対してネジ等の締結具により固定されている。こ
の下皿ユニット１３の前面側には、下皿１５と球抜きレバー１７と遊技球発射ハンドル１
８と灰皿２２と音出力口２４が設けられている。球受皿としての下皿１５は、下皿ユニッ
ト１３のほぼ中央部に設けられており、後述の上皿が満タンになった場合等に排出口１６
より排出される遊技球を停留する役割がある。上記球抜きレバー１７は、下皿１５内の遊
技球を抜くためのものであり、この球抜きレバー１７を図１で左側に移動させることによ
り、下皿１５の底面の所定箇所が開口され、下皿１５内に停留された遊技球を下皿１５の
底面の開口部分を通して遊技者の持球貯留箱（ドル箱）に排出することができる。上記遊
技球発射ハンドル１８は、下皿１５よりも右方で手前側に突出するように配設されている
。遊技者による遊技球発射ハンドル１８の操作に応じて、発射ソレノイドを備えた遊技球
発射装置によって遊技球が後述する遊技盤３０の方へ打ち込まれるようになっている。上
記音出力口２４は、下皿ユニット１３内あるいは背面に設けられたスピーカからの音を出
力するための出力口である。また、灰皿２２は下皿１５の左方に設けられている。灰皿２
２は左右方向（水平方向）の軸線を軸心にして回動（例えば前方側に向けて前回り）する
ように、その右側が下皿１５に片待ち支持されている。
【００１６】
なお、下皿ユニット１３はその大部分が内枠１２と同様、ＡＢＳ樹脂にて成形されてい
る。
【００１７】
一方、前面枠セット１４の下部（上述の下皿１５の上方位置）には、遊技球の受皿とし
ての上皿１９が前面枠セット１４と一体的に設けられている。この上皿１９は、遊技球を
一旦貯留し、一列に整列させながら遊技球発射装置３８の方へ導出するための球受皿であ
る。従来のパチンコ機では前面枠セットの下方に内枠に対し開閉可能な前飾り枠が設けら
れ、該前飾り枠に上皿が設けられていたのであるが、本形態では前飾り枠が省略され、前
面枠セット１４に対し直接的に上皿１９が設けられている。この上皿１９も下皿１５と同
様、表面層が難燃性のＡＢＳ樹脂にて成形される構成となっている。また、上皿１９の左
下方には、装飾図柄表示装置４２の背景を変える等の操作を遊技者が行なうための演出ボ
タン７９が設けられている。
【００１８】
加えて、前面枠セット１４には、後述するように、その周囲（例えばコーナー部分）に
各種ランプ等の発光手段が設けられている。これら発光手段は、大当たり遊技状態時等に
おける遊技状態の変化に応じて点灯、点滅のように発光態様が変更制御され遊技中の演出
効果を高める役割を果たすものである。例えば、窓部１０１の周縁には、ＬＥＤ等の発光
手段を内蔵した環状電飾部１０２が左右対称に設けられ、大当たり遊技状態時に点灯や点
滅を行うことにより、大当たり遊技状態中であることを報知する構成である。
【００１９】
また、窓部１０１の下方には貸球操作部１２０が配設されており、貸球操作部１２０に
は球貸しボタン１２１と、返却ボタン１２２と、度数表示部１２３とが設けられている。
パチンコ機１０の側方に配置された図示しないカードユニット（球貸しユニット）に紙幣
やカード等を投入した状態で貸球操作部１２０が操作されると、その操作に応じて遊技球
の貸出が行われる。球貸しボタン１２１は、カード等（記録媒体）に記録された情報に基
づいて貸出球を得るために操作されるものであり、カード等に残額が存在する限りにおい
て貸出球が上皿１９に供給される。返却ボタン１２２は、カードユニットに挿入されたカ
ード等の返却を求める際に操作される。度数表示部１２３はカード等の残額情報を表示す
るものである。なお、カードユニットを介さずに球貸し装置部から上皿に遊技球が直接貸
し出されるパチンコ機、いわゆる現金機では貸球操作部１２０が不要となる。故に、貸球
操作部１２０の設置部分に、飾りシール等が付されるようになっている。これにより、カ
ードユニットを用いたパチンコ機と現金機との貸球操作部の共通化が図れる。
【００２０】
次に、図３〜図４を用いて遊技盤３０の構成を説明する。図３は遊技盤３０の構成を示
す正面図である。遊技盤３０は、一般入賞口３１、可変入賞装置３２、上始動口３３ａと
下始動口３３ｂ（作動チャッカ３３ｂで構成）とから成る第１の始動口３３、第２の始動
口３４（スルーゲートで構成）、特別図柄表示装置３８、普通図柄表示装置４１、装飾図
柄表示装置４２を備える可変表示装置ユニット３５等が設けられている。これらの一般入
賞口３１、可変入賞装置３２、第１の始動口３３、第２の始動口３４、可変表示装置ユニ
ット３５等は、遊技盤３０における、ルータ加工によって形成された各貫通穴にそれぞれ
に配設され、遊技盤３０前面側から木ネジ等により取り付けられている。また、下始動口
３３ｂの入口には、一対の開閉羽根６０が設けられており、遊技球を案内する開放位置と
、下始動口３３ｂ内に遊技球が入りにくくなる閉塞位置を採りうる。開閉羽根６０は、遊
技盤３０の裏面側に配設されたソレノイドＳＬ１によって駆動される。また、下始動口３
３ｂの下方には、収容部の入口６１が配置されている。収容部の入口６１については、後
に言及する。収容部の入口６１内には、入球検出スイッチＳＷ１が設けられている。
【００２１】
前述の一般入賞口３１、可変入賞装置３２および第１の始動口３３に遊技球が入球し、
当該入球が後述する検出スイッチ（入賞口スイッチ、カウントスイッチ、作動口スイッチ
等）で検出され、この検出スイッチの出力に基づいて、上皿１９（または下皿１５）へ所
定数の賞品球が払い出される。その他に、遊技盤３０にはアウト口３６が設けられており
、各種入賞装置等に入球しなかった遊技球はこのアウト口３６を通って図示しない球排出
路の方へと案内されるようになっている。遊技盤３０には、遊技球の落下方向を適宜分散
、調整等するために多数の釘が植設されているとともに、各種部材（役物）が配設されて
いる。
【００２２】
上記特別図柄表示装置３８は、第１の始動口３３への入賞をトリガとして識別情報とし
ての特別図柄を変動表示し、上記装飾図柄表示装置４２は特別図柄の変動表示に対応した
装飾図柄を変動表示し、上記普通図柄表示装置４１は第２の始動口３４の通過をトリガと
して普通図柄を変動表示する。
【００２３】
上記特別図柄表示装置３８は２色のＬＥＤ３８ａ,３８ｂで構成されており、後述する
主制御装置２６１により表示内容が制御される。各ＬＥＤ３８ａ,３８ｂは、例えば赤色
と緑色との可変表示がなされるようになっている。
【００２４】
上記装飾図柄表示装置４２は液晶表示装置として構成されており、後述する表示制御装
置により表示内容が制御される。装飾図柄表示装置４２には、例えば上、中、及び下の３
箇所に識別情報としての図柄が表示される。これら図柄がスクロールされて装飾図柄表示
装置４２に可変表示されるようになっている。なお本形態では、装飾図柄表示装置４２（
液晶表示装置）は例えば１０インチ或いは１２インチサイズの大型の液晶ディスプレイを
備えている。
【００２５】
上記普通図柄表示装置４１は、普通図柄用のランプ４１ａ，４１ｂを備えている。この
実施例では、普通図柄用のランプ４１ａは、例えば、装飾図柄表示装置４２の表示両面の
上方に設けられ、その外観形状は「○」形状となっている一方、普通図柄用のランプ４１
ｂは、ランプ４１ａの右上側に隣接して設けられ、その外観形状は「×」形状となってい
る。普通図柄表示装置４１は、遊技球が第２の始動口３４を通過する毎に例えばランプ４
１ａ、４１ｂによる表示図柄（普通図柄）が変動し、具体的には、ランプ４１ａ，４１ｂ
が交互に光り、ランプ４１ａで停止した場合に第１の始動口３３の下始動口３３ｂが所定
時間だけ作動状態となる（開放される）よう構成されている。遊技球が第２の始動口３４
を通過した回数は最大４回まで保留され、その保留回数が保留ランプ８０１ａにて点灯表
示されるようになっている。なお、ランプ４１ａ，４１ｂは、装飾図柄表示装置４２の一
部で変動表示される複数個の表示部としても良い。
【００２６】
上記可変入賞装置３２は、通常は遊技球が入賞できない又は入賞し難い閉状態になって
おり、大当たりの際に遊技球が入賞しやすい開状態と通常の閉状態とに繰り返し作動され
るようになっているが、その具体的な構成については後述する。簡略に触れれば、特別図
柄表示装置３８が特定の表示態様となった場合（装飾図柄表示装置４２の停止後の確定図
柄が予め設定した特定の図柄の組み合せとなった場合）に特別遊技状態が発生する。そし
て、可変入賞装置３２が受球状態となり、遊技球の入賞を許す。具体的には、所定時間（
例えば３０秒）の経過又は所定個数（例えば１０個）の入賞を１ラウンドとして、可変入
賞装置３２の受球状態が所定回数繰り返し開放される。遊技球が第１の始動口３３を通過
した回数は最大４回まで保留され、その保留回数が保留ランプ８００ａにて点灯表示され
るようになっている。なお、保留ランプ８００ａは、装飾図柄表示装置４２の一部で変動
表示される構成等であっても良い。
【００２７】
また、遊技盤３０には、遊技球発射装置から発射された遊技球を遊技盤３０上部へ案内
するためのレールユニット５０が取り付けられており、遊技球発射ハンドル１８の回動操
作に伴い発射された遊技球はレールユニット５０を通じて所定の遊技領域に案内されるようになっている。レールユニット５０の構成については、後に具体的に記述する。
【００２８】
（パチンコ機の背面構成）
次に、パチンコ機１０の背面の構成を説明する。図４はパチンコ機１０の背面図である
。
【００２９】
先ず、パチンコ機１０の背面構成について全体の概要を説明する。パチンコ機１０には
その背面（実際には内枠１２および遊技盤３０の背面）において、各種制御基板が上下左
右に並べられるようにしてまたは前後に重ねられるようにして配置されており、さらに、
遊技球を供給するための遊技球供給装置（払出機構）や樹脂製の保護カバー等が取り付け
られている。本形態では、各種制御基板を２つの取付台に分けて搭載して２つの制御基板
ユニットを構成し、それら制御基板ユニットを個別に内枠１２または遊技盤３０の裏面に
装着するようにしている。この場合、主制御基板（装置）、電源監視基板（装置）、及び
サブ制御基板（装置）を一方の取付台に搭載してユニット化すると共に、払出制御基板（
装置）、発射制御基板（装置）及び電源基板（装置）を他方の取付台に搭載してユニット
化している。ここでは便宜上、前者のユニットを「第１制御基板ユニット２０１」と称し
、後者のユニットを「第２制御基板ユニット２０２」と称することとする。
【００３０】
また、払出機構および保護カバーも１ユニットとして一体化されており、一般に樹脂部
分を裏パックと称することもあるため、ここではそのユニットを「裏パックユニット２０
３」と称する。各ユニット２０１〜２０３の詳細な構成については後述する。
【００３１】
第１制御基板ユニット２０１、第２制御基板ユニット２０２および裏パックユニット２
０３は、ユニット単位で何ら工具等を用いずに着脱できるよう構成されており、更に、こ
れに加え、一部に支軸部を設けて内枠１２または遊技盤３０の裏面に対して開閉できる構
成となっている。これは、各ユニット２０１〜２０３やその他構成が前後に重ねて配置さ
れても、隠れた構成等を容易に確認することを可能とするための工夫でもある。
【００３２】
上述した第１制御基板ユニット２０１は、その遊技の進行を統括する主制御基板及び電
源の監視を司る電源監視基板と、主制御基板からの指示に従い前記装飾図柄表示装置４２
の表示制御と音声ランプ制御とを司るサブ制御基板とを有する。上記主制御基板と電源監
視基板とは透明樹脂材料等よりなる基板ボックス２６３に収容されて構成されている。こ
の基板ボックス２６３は、略直方体形状のボックスベースと該ボックスベースの開口部を
覆うボックスカバーとを備えており、これらボックスベースとボックスカバーとは封印ユ
ニットによって開封不能に連結されることにより、基板ボックス２６３が封印される。
【００３３】
尚、封印ユニットはボックスベースとボックスカバーとを開封不能に連結する構成であ
れば任意の構成が適用でき、また、封印ユニットによる封印処理は、その封印後の不正な
開封を防止し、また万一不正開封が行われてもそのような事態を早期にかつ容易に発見可
能とするものである。
【００３４】
次に、前記第２制御基板ユニット２０２は、払出制御基板、発射制御基板、電源基板及
びカードユニット接続基板を有している。上記払出制御基板により賞品球や貸出球の払出
が制御され、上記発射制御基板により遊技者による遊技球発射ハンドル１８の操作に従い
発射ソレノイドの制御が行われ、上記電源基板により各種制御装置等で要する所定の電源
電圧が生成され出力される。また、上記カードユニット接続基板は、パチンコ機前面の貸
球操作部１２０（図１参照）および図示しないカードユニットに電気的に接続され、遊技
者による球貸し操作の指令を取り込んでそれを払出制御基板に出力するものである。なお
、カードユニットを介さずに球貸し装置等から上皿に遊技球が直接貸し出される現金機で
は、カードユニット接続基板は不要である。
【００３５】
上記払出制御基板は、透明樹脂材料等よりなる払出制御基板ケース２８０内に収納され
ており、上記電源基板は、透明樹脂材料等よりなる電源基板ケース２８１内に収納されて
いる。また、上記カードユニット接続基板は透明樹脂材料等よりなるカードユニット接続
基板ケース３１４内に収納され、上記発射制御基板は透明樹脂材料等よりなる図示しない
発射制御基板ケース内に収納されている。特に、払出制御基板では、前述した主制御基板
と同様、基板ケース（被包手段）を構成するボックスベースとボックスカバーとが封印ユ
ニット（封印手段）によって開封不能に連結されることにより、基板ボックスが封印され
る。
【００３６】
上記払出制御基板は状態復帰スイッチ３２１と電気的に接続されており、例えば、払出
モータ部の球詰まり等、払出エラーの発生時において状態復帰スイッチ３２１が押下され
ると、払出モータがゆっくりと正回転され、球詰まりの解消（正常状態への復帰）が図ら
れるようになっている。
【００３７】
次に、裏パックユニット２０３の構成を説明する。裏パックユニット２０３は、樹脂成
形された裏パック３５１と遊技球の払出機構部３５２とを一体化したものである。
【００３８】
裏パック３５１は例えばＡＢＳ樹脂により一体成型されており、略平坦状のベース部３
５３と、パチンコ機後方に突出し横長の略直方体形状をなす保護カバー部３５４とを有す
る。保護カバー部３５４は左右側面および上面が閉鎖されかつ下面のみが開放された形状
をなし、少なくとも電動役物ユニット（センター役物）を囲むのに十分な大きさを有する
（但し本形態では、前述のサブ制御基板も合わせて囲む構成となっている）。保護カバー
部３５４の背面には多数の通気孔３５４ａが設けられている。この通気孔３５４ａは各々
が長孔状をなし、それぞれの通気孔３５４ａが比較的近い位置で隣り合うよう設けられて
いる。従って、隣り合う通気孔３５４ａ間にある樹脂部分を切断することにより、裏パッ
ク３５１の背面を容易に開口させることができる。つまり、通気孔３５４ａ間の樹脂部分
を切断してその内部の表示制御装置等を露出させることで、所定の検定等を容易に実施す
ることができる。
【００３９】
また、ベース部３５３には、保護カバー部３５４を迂回するようにして払出機構部３５
２が配設されている。すなわち、裏パック３５１の最上部には上方に開口したタンク３５
５が設けられており、このタンク３５５には遊技ホールの島設備から供給される遊技球が
逐次補給される。タンク３５５の下方には、例えば横方向２列（２条）の球通路を有し下
流側に向けて緩やかに傾斜するタンクレール３５６が連結され、さらにタンクレール３５
６の下流側には縦向きにケースレール３５７が連結されている。払出装置３５８はケース
レール３５７の最下流部に設けられ、払出モータ等の所定の電気的構成により必要個数の
遊技球の払出が適宜行われる。そして、払出装置３５８より払い出された遊技球は図示し
ない払出通路等を通じて前記上皿１９に供給される。
【００４０】
タンクレール３５６と、当該タンクレール３５６に振動を付加するためのバイブレータ
３６０とが一体化するようにユニット化されており、仮にタンクレール３５６付近で球詰
まりが生じた際、バイブレータ３６０が駆動されることで球詰まりが解消されるようにな
っている。
【００４１】
上記払出機構部３５２には、前記払出制御基板から払出装置３５８への払出指令の信号
を中継する払出中継基板３８１が設置されると共に、外部より主電源を取り込むための電
源スイッチ基板３８２が設置されている。電源スイッチ基板３８２には、電圧変換器を介
して例えば交流２４Ｖの主電源が供給され、電源スイッチ３８２ａの切替操作により電源
ＯＮまたは電源ＯＦＦとされるようになっている。
【００４２】
なお、内枠１２の右上側には、内枠１２が外枠１１に対して開かれたことを検出する内
枠開検出スイッチ３８８が設けられており、内枠１２が開かれると、内枠開検出スイッチ３８８からホール内（パチンコ店内）用コンピュータヘ出力されるようになっている。ま
た、上記内枠開検出スイッチ３８８の左方には、前面枠開検出スイッチ３８９が設けられ
ており、前面枠セット１４が開かれると、前面枠開検出スイッチ３８９からホール内（パ
チンコ店内）用コンピュータヘ出力されるようになっている。
【００４３】
（パチンコ機の電気的構成及び各種制御処理）
次に、図５を参照して、本パチンコ機１０の電気的構成について説明する。パチンコ機
１０は、電源装置３１３と、電源監視装置５４０と、主制御装置２６１と、サブ制御装置
２６２と、払出制御装置３１１と、表示制御装置４５等を備えている。以下に、これらの
装置を個別に詳細に説明する。尚、電源監視装置５４０と主制御装置２６１とは、上記し
たように封印ユニットで封印されている。
【００４４】
次いで、主制御装置２６１の構成について説明する。主制御装置２６１には、演算装置
である１チップマイコンとしてのＭＰＵ５０１が搭載されている。ＭＰＵ５０１には、該
ＭＰＵ５０１により実行される各種の制御プログラムや固定値データを記憶したＲＯＭ５
０２と、そのＲＯＭ５０２内に記憶される制御プログラムの実行に際して各種のデータ等
を一時的に記憶するためのメモリであるＲＡＭ５０３と、そのほか、割込回路やタイマ回
路、データ送受信回路などの各種回路が内蔵されている。
【００４５】
ＲＡＭ５０３は、パチンコ機１０の電源の遮断後においても電源装置３１３からバック
アップ電圧が供給されてデータを保持（バックアップ）できる構成となっており、ＲＡＭ
５０３には、各種のデータ等を一時的に記憶するためのエリアが備えられている。
【００４６】
なお、ＭＰＵ５０１のＮＭＩ端子（ノンマスカブル割込端子）には、停電等の発生によ
る電源遮断時に、停電監視回路５４２からの停電信号ＳＧ１が入力されるように構成され
ており、その停電信号ＳＧ１がＭＰＵ５０１へ入力されると、停電時処理としてのＮＭＩ
割込処理が即座に実行される。
【００４７】
主制御装置２６１のＭＰＵ５０１には、アドレスバス及びデータバスで構成されるバス
ライン５０４を介して入出力ポート５０５が接続されている。入出力ポート５０５には、
電源監視装置５４０内のＲＡＭ消去スイッチ回路５４３、払出制御装置３１１、発射制御
装置３１２、サブ制御装置２６２、特別図柄表示装置３８、普通図柄表示装置４１、特別
図柄保留表示装置８００、普通図柄保留表示装置８０１や、その他図示しないスイッチ群
などが接続されている。なお、特別図柄表示装置３８は上記したように特別図柄表示ラン
プ３８ａ，３８ｂで構成されており、普通図柄表示装置４１は上記したように普通図柄表
示ランプ４１ａ，４１ｂで構成されており、特別図柄保留表示装置８００は上記したよう
に特別図柄に関する保留球の個数を表示する保留ランプ８００ａで構成されており、普通
図柄保留表示装置８０１は上記したように普通図柄に関する保留球の個数を表示する保留
ランプ８０１ａで構成されている。
【００４８】
払出制御装置３１１は、払出モータ３５８ａにより賞球や貸し球の払出制御を行うもの
である。演算装置であるＭＰＵ５１１は、そのＭＰＵ５１１により実行される制御プログ
ラムや固定値データ等を記憶したＲＯＭ５１２と、ワークメモリ等として使用されるＲＡ
Ｍ５１３とを備えている。
【００４９】
払出制御装置３１１のＲＡＭ５１３は、主制御装置２６１のＲＡＭ５０３と同様に、パ
チンコ機１０の電源の遮断後においても電源装置３１３からバックアップ電圧が供給され
てデータを保持（バックアップ）できる構成となっており、ＲＡＭ５１３には、各種のデ
ータ等を一時的に記憶するためのエリアが備えられている。
【００５０】
なお、主制御装置２６１のＭＰＵ５０１と同様、ＭＰＵ５１１のＮＭＩ端子にも、停電
時の発生による電源遮断時に停電監視回路５４２から停電信号ＳＧ１が入力されるように
構成されており、その停電信号ＳＧ１がＭＰＵ５１１へ入力されると、停電時処理として
のＮＭＩ割込処理が即座に実行される。
【００５１】
払出制御装置３１１のＭＰＵ５１１には、アドレスバス及びデータバスで構成されるバ
スライン５１４を介して入出力ポート５１５が接続されている。入出力ポート５１５には
、主制御装置２６１、払出モータ３５８ａがそれぞれ接続されている。
【００５２】
発射制御装置３１２は、発射ソレノイドによる遊技球の発射を許可又は禁止するもので
あり、発射ソレノイドは、所定条件が整っている場合に駆動が許可される。具体的には、
払出制御装置３１１からカードユニットとの接続状態であることを示す接続信号が出力さ
れていること、遊技者が遊技球発射ハンドル１８に触れていることをセンサ信号により検
出していること、発射を停止させるための発射停止スイッチが操作されていないことを条
件に、発射制御装置３１２は発射許可信号を主制御装置２６１に出力する。発射許可信号
を入力した主制御装置２６１は、発射ソレノイド制御信号を発射制御装置３１２に出力す
る。これにより発射制御装置３１２は発射ソレノイド制御信号に応じて発射ソレノイドを
駆動し、その結果、遊技球発射ハンドルの操作量に応じた強さで遊技球が発射される。
【００５３】
サブ制御装置２６２は、主制御装置２６１からのコマンドに基づいて装飾図柄の変動表
示に応じた演出用スピーカ８１０等の鳴動制御及び演出用ランプ８１１の点灯（点滅）制
御、並びに、主制御装置２６１からのコマンドに基づいて表示制御装置４５へのコマンド
を編集して表示制御装置４５に送信する機能を果たすものである。サブ制御装置２６２の
ＭＰＵ５５０には、そのＭＰＵ５５０により実行される制御プログラムや固定値データ等
を記憶したＲＯＭ５５１と、ワークメモリ等として使用されるＲＡＭ５５２とを備えてい
る。ＭＰＵ５５０には、アドレスバス及びデータバスで構成されるバスライン５５３を介
して入出力ポート５５４が接続されている。入出力ポート５５４には、スピーカ、ランプ
、装飾図柄表示装置４２における変動表示中において所定の表示演出を実行させるための
演出用ボタン７９、及び主制御装置２６１がそれぞれ接続されている。演出用ボタン７９
としては、例えば所定のキャラクタが順次出現する態様によって大当たり状態の可能性が
大きいことを予告するステップアップ予告等の表示演出用ボタン等が挙げられる。なお、
演出用ボタン７９が押されると、所定の演出実行のための演出指定コマンドが生成されて
、装飾図柄表示装置４２に送信されようになっている。
【００５４】
表示制御装置４５は、装飾図柄表示装置４２における装飾図柄の変動表示を制御するも
のである。表示制御装置４５は、ワークＲＡＭ等として使用されるＲＡＭ５２３を有する
ＭＰＵ５２１と、ＲＯＭ（プログラムＲＯＭ）５２２と、ビデオＲＡＭ５２４と、キャラ
クタＲＯＭ５２５と、画像コントローラ５２６と、入力ポート５２７と、出力ポート５２
９とを備えている。
【００５５】
ＭＰＵ５２１は、サブ制御装置２６２から送信されてくる図柄表示コマンド（停止図柄
コマンド、変動パターンコマンド、確定コマンド等）を入力ポート５２７を介して受信す
るとともに、受信コマンドを解析し、又は受信コマンドに基づき所定の演算処理を行って
画像コントローラ５２６の制御（具体的には画像コントローラ５２６に対する内部コマン
ドの生成）を実施する。プログラムＲＯＭ５２２は、ＭＰＵ５２１により実行される各種
の制御プログラムや固定値を記憶するためのメモリであり、背景画像用のＪＰＥＧ形式画
像データも併せて記憶保持されている。ＲＡＭ５２３は、ＭＰＵ５２１による各種プログ
ラムの実行時に使用されるワークデータやフラグ等を一時的に記憶するためのメモリであ
る。
【００５６】
画像コントローラ５２６は、ＶＤＰ（ビデオディスプレイプロセッサ）で構成されてい
る。ＶＤＰは、装飾図柄表示装置４２に組み込まれたＬＣＤドライバ（液晶駆動回路）を
直接操作する一種の描画回路であり、ＩＣチップ化されているため、「描画チップ」とも
呼ばれ、その実体は描画処理専用のソフトウェアを内蔵したマイコンチップとでも言うべ
きものである。画像コントローラ５２６は、ＭＰＵ５２１、ビデオＲＡＭ５２４等のそれ
ぞれのタイミングを調整してデータの読み書きに介在するとともに、ビデオＲＡＭ５２４
に記憶される表示データを、キャラクタＲＯＭ５２５から所定のタイミングで読み出して
、出力ポート５２９を介して装飾図柄表示装置４２に出力して表示させる。
【００５７】
ビデオＲＡＭ５２４は、装飾図柄表示装置４２に表示される表示データを記憶するため
のメモリであり、ビデオＲＡＭ５２４の内容を書き換えることにより装飾図柄表示装置４
２の表示内容が変更される。キャラクタＲＯＭ５２５は装飾図柄表示装置４２に表示され
る図柄などのキャラクタデータを記憶するための画像データライブラリとしての役割を担
うものである。このキャラクタＲＯＭ５２５には、各種の表示図柄のビットマップ形式画
像データ、ビットマップ画像の各ドットでの表現色を決定する際に参照する色パレットテ
ーブル等が保持されている。特に、ビットマップ形式の図柄画像データにはそれぞれ図柄
コード（図柄番号）が付与されており、コマンドレベルでは各図柄画像を図柄コードだけ
で管理可能としている。なお、キャラクタＲＯＭ５２５を複数設け、各キャラクタＲＯＭ
５２５に分担して画像データ等を記憶させておくことも可能である。また、プログラムＲ
ＯＭ５２２に記憶した背景画像用のＪＰＥＧ形式画像データをキャラクタＲＯＭ５２５に
記憶する構成とすることも可能である。
【００５８】
電源装置３１３は、パチンコ機１０の各部に電源を供給するための電源部５４１を備え
ている。この電源部５４１は、電源経路を通じて、主制御装置２６１や払出制御装置３１
１等に対して各々に必要な動作電圧を供給する。その概要としては、電源部５４１は、外
部より供給される交流２４ボルトの電圧を取り込み、各種スイッチやモータ等を駆動する
ための１２ボルトの電圧、ロジック用の５ボルトの電圧、ＲＡＭバックアップ用のバック
アップ電圧などを生成し、これら１２ボルトの電圧、５ボルトの電圧及びバックアップ電
圧を、電源監視装置５４０、サブ制御装置２６２、払出制御装置３１１、表示制御装置４
５等に対して供給する。なお、主制御装置２６１に対しては、電源監視装置５４０を介し
て動作電圧（１２ボルト及び５ボルトの電圧）が供給される。また、発射制御装置３１２
に対しては、主制御装置２６１を介して動作電圧（１２ボルト及び５ボルトの電圧）が供
給される。
【００５９】
電源監視装置５４０は、停電等による電源遮断を監視する停電監視回路５４２と、リセ
ット信号を出力するリセット回路５４４と、を備えている。
停電監視回路５４２は、停電等の発生による電源遮断時に、主制御装置２６１のＭＰＵ
５０１及び払出制御装置３１１のＭＰＵ５１１の各ＮＭＩ端子へ停電信号ＳＧ１を出力す
るための回路である。停電監視回路５４２は、電源部５４１から出力される最大電圧であ
る直流安定２４ボルトの電圧を監視し、この電圧が２２ボルト未満になった場合に停電（
電源遮断）の発生と判断して、停電信号ＳＧ１を主制御装置２６１及び払出制御装置３１
１へ出力する。停電信号ＳＧ１の出力によって、主制御装置２６１及び払出制御装置３１
１は、停電の発生を認識し、ＮＭＩ割込処理を実行する。なお、電源部５４１は、直流安
定２４ボルトの電圧が２２ボルト未満になった後においても、ＮＭＩ割込処理の実行に充
分な時間の間、制御系の駆動電圧である５ボルトの電圧の出力を正常値に維持するように
構成されている。よって、主制御装置２６１及び払出制御装置３１１は、ＮＭＩ割込処理
を正常に実行し完了することができる。
【００６０】
ＲＡＭ消去スイッチ回路５４３は、ＲＡＭ消去スイッチが押下された場合に、主制御装
置２６１及び払出制御装置３１１へ、バックアップデータをクリアするためのＲＡＭ消去
信号ＳＧ２を出力する回路である。なお、払出制御装置３１１への信号の送信は、主制御
装置２６１を介して行われる。
主制御装置２６１及び払出制御装置３１１は、パチンコ機１０の電源投入時に、ＲＡＭ
消去信号ＳＧ２を入力した場合に、それぞれのバックアップデータをクリアする。
【００６１】
リセット回路５４４は、主制御装置２６１、払出制御装置３１１、サブ制御装置２６２
、及び表示制御装置４５を初期化するため、リセット信号を出力する回路である。なお、
リセット回路５４４からのリセット信号は、主制御装置２６１に対しては直接与えられる
が、払出制御装置３１１、サブ制御装置２６２、及び表示制御装置４５に対しては、電源
装置３１３を介して与えられるようになっている。
【００６２】
ここで、特別図柄表示装置３８、普通図柄表示装置４１、及び装飾図柄表示装置４２の
表示内容について説明する。なお、本実施形態のパチンコ機１０においては、大当たりの
発生を遊技者に示すための図柄として特別図柄表示装置３８で表示される特別図柄と、装
飾図柄表示装置４２で表示される装飾図柄との２種類が設けられている。装飾図柄は、特
別図柄と同期して変動が行われる図柄であり、特別図柄の変動開始と同時に（又はほぼ同
時期に）変動を開始し、また特別図柄の変動停止と同時に（またはほぼ同時期に）変動を
停止するものである。この装飾図柄は、遊技者に多種多様な表示演出を行って飽きにくい
遊技性を備えるために設けられている。
【００６３】
先ず、特別図柄表示装置３８の表示内容について説明する。特別図柄の変動表示は、特
別図柄表示ランプ３８ａ，３８ｂの色変化（赤色・緑色の変化）や点滅等の点灯パターン
の変化により表現される。この特別図柄の変動表示は遊技球の始動口３３への入賞に基づ
いて開始され、一定時間後に特別図柄の変動表示が同時に停止する。その停止後に、特別
図柄が揃っている場合、即ち、特別図柄表示ランプ３８ａ，３８ｂが同一色の点灯状態と
なっているときは大当たりとなり、変動表示の停止時に特別図柄が揃っていなければ、即
ち、特別図柄表示ランプ３８ａ，３８ｂが異色の点灯状態となっているときは、外れとな
り、始動口３３への入賞に基づいて再度の変動表示が行われる。遊技球が始動口３３に入
賞した回数は最大４回まで保留され、その保留回数が特別図柄保留表示装置８００の保留
ランプ８００ａにて点灯表示されるようになっている。なお、本形態では、変動表示の停
止時において、特別図柄表示ランプ３８ａ，３８ｂが共に赤色の点灯状態であれば、特定
図柄（確率変動図柄）とみなされ、特別図柄表示ランプ３８ａ，３８ｂが共に緑色の点灯
状態であれば、非特定図柄（非確率変動図柄）とみなされる。
【００６４】
次いで、装飾図柄表示装置４２の表示内容について説明する。装飾図柄表示装置４２の
表示画面には、例えば、上段・中段・下段に区分けされた３つの表示領域に３つの装飾図
柄列Ｚ１〜Ｚ３が表示される。これら装飾図柄列Ｚ１〜Ｚ３は、右から左にスクロール表
示される。装飾図柄は、例えば「１」〜「９」の数字からなる主図柄と、主図柄より小さ
い副図柄とにより構成され、これら各主図柄および副図柄によって装飾図柄の図柄列が形
成される。装飾図柄で形成される各図柄列では、数字の昇順又は降順に主図柄が配列され
ると共に各主図柄の間にそれぞれ副図柄が配列されている。始動口３３への入賞すなわち
始動入賞が発生すると、装飾図柄の変動表示が行われ、変動パターンに応じた一定時間の
経過後に変動表示が停止し、装飾図柄表示装置４２には縦３×横３の９個の装飾図柄が表
示結果として表示される。大当たり抽選に当選した変動表示においては、９個の装飾図柄
のうち垂直あるいは斜めの一直線上に同一の主図柄が３つ揃って停止するように表示制御
装置４５により制御が行われ、遊技者に大当たりの発生が示される。一方、大当たり抽選
に外れた変動表示においては、９個の装飾図柄のうち垂直あるいは斜めのいずれにも同一
の主図柄が３つ揃って停止しないように表示制御装置４５により制御が行われ、遊技者に
外れの発生が示される。
【００６５】
次いで、普通図柄表示装置４１の表示内容について説明する。普通図柄の変動表示は、
普通図柄表示ランプ４１ａ（外観が○形状）と、普通図柄表示ランプ４１ｂ（外観が×形
状）とが交互に点灯することにより表現される。この普通図柄の変動表示は遊技球が第２
の始動口３４を通過することを条件として開始され、一定時間後に普通図柄の変動表示が
停止する。そして、表示ランプ４１ａで停止した場合に第１の始動口３３が所定時間だけ
作動状態となる（開放される）よう構成されている。遊技球が第２の始動口３４を通過し
た回数は最大４回まで保留され、その保留回数が普通図柄保留表示装置８０１の保留ラン
プ８０１ａにて点灯表示されるようになっている。
【００６６】
次に、上記の如く構成されたパチンコ機１０の動作について説明する。本形態では、主
制御装置２６１内のＭＰＵ５０１は、遊技に際し各種カウンタ情報を用いて、大当たり抽
選や特別図柄表示装置３８の図柄表示の設定などを行うこととしている。具体的には、特
別図柄に関連するカウンタ群と、普通図柄に関連するカウンタ群とを備えている。先ず、
特別図柄に関連するカウンタ群について説明する。特別図柄に関連するカウンタ群として
は、大当たりの抽選に使用する大当たり乱数カウンタＣ１と、特別図柄表示装置３８の大
当たり図柄の選択に使用する大当たり図柄カウンタＣ２と、特別図柄表示装置３８が外れ
変動する際の停止パターンの選択（装飾図柄の変動においてはリーチとするか完全外れと
するかのリーチ抽選に相当する）に使用する停止パターン選択カウンタＣ３と、大当たり
乱数カウンタＣ１の初期値設定に使用する初期値乱数カウンタＣＩＮＩ１と、変動パター
ン選択に使用する種別を決定する変動種別カウンタＣＳ１〜ＣＳ３とを備えている。
【００６７】
ここで、変動パターンとは、変動表示の特徴が共通するものを区分した場合における各
パターン（形態）を意味している。
【００６８】
上記カウンタＣ１〜Ｃ３，ＣＩＮＩ１，ＣＳ１〜ＣＳ３、は、その更新の都度前回値に
１が加算され、最大値に達した後０に戻るループカウンタとなっている。各カウンタは短
時間間隔で更新され、その更新値がＲＡＭ５０３の所定領域に設定されたカウンタ用バッ
ファに適宜格納される。ＲＡＭ５０３には、１つの実行エリアと４つの保留エリア（保留
第１〜第４エリア）とからなる保留球格納エリア７００が設けられており、これらの各エ
リアには、始動口３３への遊技球の入賞タイミングに合わせて、大当たり乱数カウンタＣ
１、大当たり図柄カウンタＣ２及び停止パターン選択カウンタＣ３の各値がそれぞれ格納
される。
【００６９】
次いで、各カウンタの具体的な内容について詳述する。
大当たり乱数カウンタＣ１は、例えば０〜７３８の範囲内で順に１ずつ加算され、最大
値（つまり７３８）に達した後０に戻る構成となっている。特に大当たり乱数カウンタＣ
１が１周した場合、その時点の乱数初期値カウンタＣＩＮＩ１の値が当該大当たり乱数カ
ウンタＣ１の初期値として読み込まれる。なお、乱数初期値カウンタＣＩＮＩ１は、大当
たり乱数カウンタＣ１と同一範囲で更新されるループカウンタとして構成され（値＝０〜
７３８）、タイマ割込毎に１回更新されると共に通常処理の残余時間内で繰り返し更新さ
れる。大当たり乱数カウンタＣ１は定期的に（本形態ではタイマ割込毎に１回）更新され
、遊技球が始動口３３に入賞したタイミングでＲＡＭ５０３の保留球格納エリア７００に
格納される。大当たりとなる乱数の値の数は、低確率時と高確率時とで２種類設定されて
おり、低確率時に大当たりとなる乱数の値の数は２で、その値は「３７３，７２７」であ
り、高確率時に大当たりとなる乱数の値の数は１４で、その値は「５９，１０９，１６３
，２１１，２６３，３１７，３６７，４２１，４７９，５２３，５７７，６３１，６８３
，７３３」である。なお、高確率時とは、特別図柄の組み合せが予め定められた確率変動
図柄である特定図柄の組み合せ（本実施形態においては特定図柄表示ランプ３８ａ，３８
ｂが共に緑色で点灯する場合）によって大当たりになり付加価値としてその後の大当たり
確率がアップした状態、いわゆる確変の時をいい、通常時（低確率時）とはそのような確
変状態でない場合（本実施形態においては特定図柄表示ランプ３８ａ，３８ｂが共に赤色
で点灯する場合）をいう。
【００７０】
大当たり図柄カウンタＣ２は、大当たりの際、特別図柄表示装置３８における特別図柄
の変動停止時の図柄を決定するものであり、例えば０〜４の範囲内で順に１ずつ加算され
、最大値（つまり４）に達した後０に戻る構成となっている。例えば、大当たり図柄カウ
ンタＣ２の値が「０」、「１」の場合の停止図柄は、特別図柄表示ランプ３８ａ，３８ｂ
が共に緑色で停止し、この場合の停止図柄の組み合せは非特定図柄（通常の大当たり図柄
）を意味する。
【００７１】
大当たり図柄カウンタＣ２の値が「２」、「３」、「４」の場合の停止図柄は、特別図
柄表示ランプ３８ａ，３８ｂが共に赤色で停止し、この場合の停止図柄の組み合せは特定
図柄（確率変動図柄）を意味する。
【００７２】
大当たり図柄カウンタＣ２は定期的に（本形態ではタイマ割込毎に１回）更新され、遊
技球が始動口３３に入賞したタイミングでＲＡＭ５０３の保留球格納エリア７００に格納
される。
【００７３】
停止パターン選択カウンタＣ３は、例えば０〜２３８の範囲内で順に１ずつ加算され、
最大値（つまり２３８）に達した後０に戻る構成となっている。本形態では、特別図柄の
変動表示は、２つの表示ランプ３８ａ，３８ｂで表現するように構成されているので、特
別図柄の場合にはリーチという概念はなく、リーチに相当する停止パターンを停止パター
ン選択カウンタＣ３によって、決定することとしている。一方、装飾図柄の場合は、３つ
の装飾図柄が停止するので、リーチが存在する。従って、装飾図柄の場合は、リーチ抽選
を、停止パターン選択カウンタＣ３によって決定している。即ち、装飾図柄の場合では、
リーチ発生した後に最終停止図柄がリーチ図柄の前後に１つだけずれて停止する「前後外
れリーチ」と、同じくリーチ発生した後最終停止図柄がリーチ図柄の前後以外で停止する
「前後外れ以外リーチ」と、リーチ発生しない「完全外れ」とを抽選することとしている
。例えば、停止パターン選択カウンタＣ３＝０〜２０１が完全外れに該当し、停止パター
ン選択カウンタＣ３＝２０２〜２０８が前後外れリーチに該当し、停止パターン選択カウ
ンタＣ３＝２０９〜２３８が前後外れ以外リーチに該当する。
【００７４】
ここで、リーチとは、装飾図柄表示装置４２の表示画面に表示される装飾図柄が変動表
示を開始した後、先に停留する図柄の組み合せが同一図柄（複数の有効ラインがある装飾
図柄においてはいずれかの有効ライン上で同一図柄）であって大当たりの条件を満たして
おり、変動表示が続いている図柄の表示結果如何によっては大当たりとなることを遊技者
に示唆して大当たりの図柄の組み合せを遊技者に期待させる表示であり、興趣演出の１種
である。興趣演出とは、変動表示の途中で装飾図柄表示装置４２の表示画面にリーチに代
表される所定の図柄を現出させたり、スピーカから特定の音声を出力したり、或いは、振
動用のモータによって遊技球発射ハンドル１８を振動させる等、通常とは異なる態様を変
動表示に伴わせて変動表示後の表示結果が大当たりとなることを遊技者に期待させる演出
である。
【００７５】
なお、停止パターン選択カウンタＣ３は定期的に（本形態ではタイマ割込毎に１回）更
新され、遊技球が始動口３３に入賞したタイミングでＲＡＭ５０３の保留球格納エリア７
００に格納される。
【００７６】
変動種別カウンタＣＳ１は、例えば０〜１９８の範囲内で順に１ずつ加算され、最大値
（つまり１９８）に達した後０に戻る構成となっている。変動種別カウンタＣＳ２は、例
えば０〜２４０の範囲内で順に１ずつ加算され、最大値（つまり２４０）に達した後０に
戻る構成となっている。変動種別カウンタＣＳ３は、例えば０〜１６２の範囲内で順に１
ずつ加算され、最大値（つまり１６２）に達した後０に戻る構成となっている。
変動種別カウンタＣＳ１によって、ノーマルリーチ、スーパーリーチ、プレミアムリー
チ等のリーチの種別のような大まかな図柄変動態様が決定され、変動種別カウンタＣＳ２
によって、例えばノーマルリーチＡ、ノーマルリーチＢ等のようにさらに細かな図柄変動
態様が決定され、変動種別カウンタＣＳ２によって、例えばすべり停止変動の場合の変動
時間の加減算が決定される。従って、これらの変動種別カウンタＣＳ１〜ＣＳ３を組み合
わせることで、変動パターンの多種多様性を容易に実現できる。
【００７７】
カウンタＣＳ１〜ＣＳ３は、後述する通常処理が１回実行される毎に１回更新され、当
該通常処理内の残余時間内でも繰り返し更新される。そして、特別図柄表示装置３８によ
る特別図柄及び装飾図柄表示装置４２による装飾図柄の変動開始時における変動パターン
決定に際してカウンタＣＳ１〜ＣＳ３のバッファ値が取得される。
【００７８】
次いで、普通図柄に関連するカウンタ群について説明する。普通図柄に関連するカウン
タ群としては、当たりの抽選に使用する当たり乱数カウンタＣ４と、当たり乱数カウンタ
Ｃ４の初期値設定に使用する初期値乱数カウンタＣＩＮＩ２とを備えている。
【００７９】
上記当たり乱数カウンタＣ４は、その更新の都度前回値に１が加算され、最大値に達し
た後０に戻るループカウンタとなっている。カウンタは短時間間隔で更新され、その更新
値がＲＡＭ５０３の所定領域に設定されたカウンタ用バッファに適宜格納される。ＲＡＭ
５０３には、１つの実行エリアと４つの保留エリア（保留第１〜第４エリア）とからなる
保留球格納エリア７０１が設けられており、これらの各エリアには、第２の始動口３４へ
の遊技球の通過に合わせて、当たり乱数カウンタＣ４の値が格納される。
【００８０】
次いで、上記当たり乱数カウンタＣ４，初期値乱数ＣＩＮＩ２の具体的な内容について
詳述する。当たり乱数カウンタＣ４は、例えば０〜２５０の範囲内で順に１ずつ加算され
、最大値（つまり２５０）に達した後０に戻る構成となっている。そして、当たり乱数カ
ウンタＣ４が１周した場合、その時点の当たり初期値乱数カウンタＣＩＮＩ２の値が当た
り乱数カウンタＣ４の初期値として読み込まれる。なお、初期値乱数カウンタＣＩＮＩ２
は、当たり乱数カンタＣ４と同一範囲で更新されるループカウンタとして構成され（値＝
０〜２５０）、タイマ割込毎に１回更新されると共に通常処理の残余時間内で繰り返し更
新される。当たり乱数カウンタＣ４は定期的に（本形態ではタイマ割込毎に１回）更新さ
れ、遊技球が第２の始動口３４を通過したタイミングでＲＡＭ５０３の保留球格納エリア
７０１に格納される。当たり乱数カウンタＣ４の当たりとなる乱数の値の数は１４９で、
その値は「５〜１５３」である。
【００８１】
なお、各カウンタの大きさや範囲は一例にすぎず任意に変更できる。但し、不規則性を
重視すれば、大当たり乱数カウンタＣ１、停止パターン選択カウンタＣ３、当たり乱数カ
ウンタＣ４、変動種別カウンタＣＳ１〜ＣＳ３の大きさは何れも異なる素数とし、いかな
る場合にも同期しない数値としておくのが望ましい。
【００８２】
尚、主制御装置２６１内のＭＰＵ５０１により実行される各制御処理の詳細については
、ここでは詳細説明を省く。
しかし、要約すれば、上述のように、始動口３３への入賞により、主制御装置２６１に
おいて所定の確率の当否抽選がなされ、当たりに際しては、特別遊技状態に移行するので
あり、これに伴って可変入賞装置３２が入賞球の受球状態となるものである。
【００８３】
（可変入賞装置と捕集部）
この実施例においては、上記の可変入賞装置３２は、次のように構成されている。
この可変入賞装置３２の基本構成は、遊技盤３０の横方向に複数の遊技球を通過させる
ことのできる幅を持つ大入賞口６１からの入球を収容部（図示せず）に収容し、該収容部
に設けた排出部から検出センサ（図示せず）に至って検出するように構成されている。
【００８４】
そして、前記遊技盤３０の遊技領域に、窓部１０１と遊技盤３０との間の流下空間を流
下する遊技球を入球させる始動入賞装置３３（３３ａ及び３３ｂ：図３参照）が設けられ
、前記始動入賞装置３３への入球により、主制御装置２６１によって、所定の確率の当否
抽選が行われ、該当たり抽選によって遊技状態が特別遊技状態に移行し、該特別遊技状態
において、少なくとも１回、前記可変入賞装置３２が、非受球状態から受球状態に切り替
わり、前記受球状態において、前記大入賞口６１から収容部に収容された規定数の入賞球
を、前記検出センサにより検出することによって規定数の賞球を払い出すように構成して
ある。
【００８５】
（特徴構成）
本パチンコ機１０は、図１および図２に示すように、遊技盤３０の盤面を覆う前面扉と
して、前面枠セット１４を備えるものとなっている。前面枠セット１４には、中央の大部
分を占有するように、略円形状の窓部１０１が穿設されている。該窓部１０１を通して、
遊技盤３０の前面においてレールユニット５０により区画形成される遊技領域の大部分が
前方より視認されるようになっている。即ち、該窓部１０１が、遊技盤３０の遊技領域を
前方から視認可能とする第１開口部となっている。
【００８６】
前面枠セット１４の上端縁と窓部１０１との間の領域には、中上開口部１０３Ｃ、左上
開口部１０３Ｌおよび右上開口部１０３Ｒが穿設されている。窓部１０１の上端縁中央部
には、該窓部１０１の周縁に沿って正面視略円弧状にやや湾曲しながら前後に略平板状に
延びる鍔状部１０１Ｅが形成されている。鍔状部１０１Ｅの横幅は前面枠セット１４の横
幅のおよそ半分程度となっている。鍔状部１０１Ｅの両端部からは、それぞれ側壁１０１
Ｓが中央側へやや傾斜しながら前面枠セット１４の上端縁まで延びるように立設されてい
る。鍔状部１０１Ｅ、側壁１０１Ｓおよび前面枠セット１４の上端縁により包囲された正
面視概略台形状の領域の背面部は前後方向に貫通しており、これにより中上開口部１０３
Ｃが形成されている。
【００８７】
窓部１０１の周縁には、前記環状電飾部１０２が配設されているが、側壁１０１Ｓに遮
られるようにして、窓部１０１の上端縁中央部すなわち中上開口部１０３Ｃ形成領域では
環状電飾部１０２が欠落している。中上開口部１０３Ｃの両側すなわち側壁１０１Ｓの両
外側において、前面枠セット１４の上端縁と環状電飾部１０２との間の領域の大部分では
、前面枠セット１４が前後方向に貫通しており、これにより左上開口部１０３Ｌおよび右
上開口部１０３Ｒがそれぞれ形成されている。左上開口部１０３Ｌおよび右上開口部１０
３Ｒの下端縁、中央側縁および上端縁はそれぞれ環状電飾部１０２、側壁１０１Ｓおよび
前面枠セット１４の上端縁に沿って延び、全体として概略六角形状となるように形成され
ている。中上開口部１０３Ｃ、左上開口部１０３Ｌおよび右上開口部１０３Ｒを通して、
前記遊技盤３０の前面における遊技領域の上端部が前方より視認されるようになっている
。即ち、該中上開口部１０３Ｃ、左上開口部１０３Ｌおよび右上開口部１０３Ｒが、遊技
盤３０の遊技領域の少なくとも一部を前方から視認可能とする第２開口部となっている。
【００８８】
前面枠セット１の裏側面には、中上開口部１０３Ｃ、左上開口部１０３Ｌおよび右上開
口部１０３Ｒを内側から覆うようにしてガラス板が嵌着されている（図示省略）。
【００８９】
図３に示すように、遊技盤３０におけるレールユニット５０は帯状[リング状]をなす金
属板にて構成されており、内外二重に一体形成された内レール５１と外レール５２とを有
する。内レール５１および外レール５２の後側端縁（遊技盤３０に対向する端縁）には、
所定間隔をおいて複数個所に鋲５６が設けられており、内レール５１および外レール５２
は該鋲５６を打ちつけるようにして遊技盤３０に取り付けられている。
【００９０】
内レール５１は、遊技盤３０の盤面における右下の隅部よりやや上方で右側縁よりやや
内側寄りの位置から、下端縁中央よりやや内側寄り（やや上方）の位置をアウト口３６を
横断するように通り、左側縁中央よりやや内側寄りの位置まで、略円弧状をなすように延
びている。さらに、遊技盤３０の盤面における左側縁に沿って直線的に上方へやや延び、
その上端からやや右上方の位置まで、緩く弧状に湾曲しながら延びている。外レール５２
は、遊技盤３０の盤面における下端部中央よりやや左寄りの位置すなわちアウト口３６の
左下方の位置から、内レール５１の外側にやや間隔をおいて、内レール５１とほぼ相似な
形状をなして上方へ延びている。内レール５１は上述の通り遊技盤３０の盤面における左
側縁に沿って直線的に上方へ延びてからやや右上方へ延びたところで終端（左上端）とな
っているが、外レール５２は、この内レール５１の終端に対応する外側の位置よりもさら
に右上方へ延び、遊技盤３０の盤面における上端縁に突き当たる直前の位置から、該上端
縁に沿って右方へ直線的に延びている。さらに、遊技盤３０の盤面における右上の隅部近
傍まで延びたところで、右側縁の上端よりやや下方のやや内側寄りの位置まで、緩く弧状
に湾曲しながら延びている。かかる場合、内レール５１と外レール５２とにより誘導レー
ルが構成され、これら各レール５１、５２が所定間隔を隔てて並行する部分（向かって左
側の部分）により球案内通路が形成されている。なお球案内通路は、遊技盤３０との当接
面を有した溝状、すなわち手前側を開放した溝状に形成されている。
【００９１】
内レール５１の先端部分（図３の左上部）には戻り球防止部材５３が取着されている。
これにより、一旦、内レール５１および外レール５２間の球案内通路から遊技盤３０の上
部へと案内された遊技球が再度球案内通路内に戻ってしまうといった事態が防止されるよ
うになっている。
【００９２】
以上のようにしてレールユニット５０は、遊技盤３０の盤面における下側半部において
は、おおよそ略半円形状をなして延び、上側半部においては、右上および左上の隅部が丸
く角落ちした概略矩形状をなして延びており、これにより全体として、概略Ｄ字を時計回
りに９０°回転させた形状（以下、「転倒Ｄ字形状」とも称す）の遊技領域を区画形成し
ている。このとき、従来のパチンコ機においては、遊技領域が略円形状に区画形成される
のが一般的となっていた。これに対し、本パチンコ機１０においては、遊技盤３０の盤面
における上端部のスペースをさらに可及的に利用して、略円形状を上方に概略矩形状に膨
出させるようにして概略転倒Ｄ字形状とした遊技領域が区画形成されている。
【００９３】
前面枠セット１４は、前述の通り、第１開口部として略円形状の窓部１０１を有してい
るが、この窓部１０１が、上記概略転倒Ｄ字形状の遊技領域において従来と共通する略円
形状の基本領域を前方から視認可能とするものとなっている。一方、前面枠セット１４は
、前述の通り、第２開口部として中上開口部１０３Ｃ、左上開口部１０３Ｌおよび右上開
口部１０３Ｒを有しているが、これら中上開口部１０３Ｃ、左上開口部１０３Ｌおよび右
上開口部１０３Ｒが、上記概略転倒Ｄ字形状の遊技領域において従来の略円形状の基本領
域を上方へ拡大する拡張領域を前方から視認可能とするものとなっている。
【００９４】
したがって上記本パチンコ機１０の構成によれば、概略転倒Ｄ字形状の遊技領域におい
て従来と共通する略円形状の基本領域においては、遊技球が流下して入賞装置に入球した
り入球せずにアウト口３６から排出されていく状況や、装飾図柄表示装置４２における表
示内容といった、遊技の主要な状況が第１開口部である窓部１０１を通して前方から視認
される。さらに加えて、上方の拡張領域においては、内レール５１および外レール５２間
の球案内通路から遊技領域内へと遊技球が案内されていく状況や、遊技球発射装置から強
く発射された遊技球が遊技領域の上端部や右上端部まで打ち出されてから遊技領域内を流
下していく状況等が、第２開口部である中上開口部１０３Ｃ、左上開口部１０３Ｌおよび
右上開口部１０３Ｒを通して前方から視認される。即ち、本パチンコ機１０においては、
遊技領域が従来よりも上方へ大きく拡大された構成となっている。
【００９５】
なお、上記構成において、例えば、前面枠セット１４の構成はそのままとし、遊技盤の
遊技領域を従来と同様の略円形状に形成するように変更してもよい。即ち、遊技領域は従
来と同様に専ら第１開口部である窓部１０１を通して前方から視認可能とする一方、遊技
盤の盤面における上端部は、遊技領域外の盤面を第２開口部である中上開口部１０３Ｃ、
左上開口部１０３Ｌおよび右上開口部１０３Ｒを通して前方から視認可能としてもよい。
このような構成の場合、遊技盤の上端部における遊技領域外の盤面を遊技領域内の盤面と
同様の意匠により構成し、さらに好ましくは釘等も配設しておくようにすれば、この上端
部における遊技領域外の盤面を、実際に遊技球は流下しないとしても、少なくとも、第２
開口部である中上開口部１０３Ｃ、左上開口部１０３Ｌおよび右上開口部１０３Ｒを通し
て、あたかも遊技領域が拡張した拡張領域であるかのように見えるようにすることができ
る。さらにこの場合、例えば、遊技盤の上端部における一部あるいは遊技盤の全体を透明
性を有する樹脂で成形し、遊技盤の上端部の裏側にＬＥＤランプ等の発光部を配設して、
遊技盤と第２開口部である中上開口部１０３Ｃ、左上開口部１０３Ｌおよび右上開口部１
０３Ｒとを通して前方に光を照射する構成とすることもできる。この構成によれば、遊技
盤、特に遊技領域の内外が、それ自体で発光しているかのような発光態様とすることがで
きる。したがって、例えば専ら前面枠セット１４の前面等から光を照射する構成によって
は得られない効果的な発光演出を可能とすることができる。
【００９６】
（作用）
本パチンコ機１０は、遊技球が流下する遊技領域が前面に形成された遊技盤３０と、上
記遊技盤３０の遊技領域を前方から視認可能とする第１開口部として窓部１０１を有して
上記遊技盤３０の盤面を覆う前面扉として前面枠セット１４とを備える構成において、上
記前面枠セット１４が、上記窓部１０１の外側に、遊技盤３０の遊技領域の少なくとも一
部を前方から視認可能とする第２開口部として中上開口部１０３Ｃ、左上開口部１０３Ｌ
および右上開口部１０３Ｒを有する構成となっている。
【００９７】
本パチンコ機１０の構成によれば、第１開口部である窓部１０１によって遊技領域が前
方から視認可能となっているのに加えて、第２開口部である中上開口部１０３Ｃ、左上開
口部１０３Ｌおよび右上開口部１０３Ｒに対応する遊技盤３０の盤面の上端部が前方から
視認可能となっているので、この第２開口部に対応する部分も遊技領域の一部を構成する
スペースとして確保されている。即ち、第２開口部を配設することにより、遊技領域が効
果的に拡大されている。また、この第２開口部に対応する部分を遊技領域としない場合で
も、遊技盤３０の盤面を前方から視認可能とすることにより、少なくとも、あたかもこの
第２開口部に対応する部分まで遊技領域となっているかのように見える構成とすることが
できる。
【００９８】
さらに、遊技盤の盤面において第２開口部に対応する部分を遊技領域としない場合、第
２開口部に対応する部分の盤面を遊技領域内の盤面と同様の構成とすると、この遊技領域
としない部分をより遊技領域らしく見えるようにすることができる。
【００９９】
さらにまた、遊技盤において少なくとも第２開口部に対応する部分を透明性を有する樹
脂で成形し、この部分の裏側に発光部を配設して、遊技盤と第２開口部とを通して前方に
光を照射する構成とすると、遊技盤自体が発光しているかのような発光態様とすることが
でき、したがって効果的な発光演出が可能となる。
【０１００】
（変更態様）
上記実施形態には、例えば以下に示すように種々の変更を加えることが可能である。
【０１０１】
（１）第２実施形態
上記実施形態（以下、第１実施形態とも称す）においては、第１開口部が、従来と同様
の略円形状の窓部１０１となっていたが、例えば図６および図７に示す変更態様のように
、第１開口部を従来よりも拡大した構成としてもよい（以下、第２実施形態とも称す）。
【０１０２】
第２実施形態に係るパチンコ機１０Ｃは、図６および図７に示すように、第１実施形態
の場合と同様に前面枠セット２７を備えるものとなっている。ただし、第１実施形態に係
る前面枠セット１４が下皿ユニット１３よりも上側の範囲で開閉自在に取り付けられた前
面扉であったのに対し、第２実施形態に係る前面枠セット２７は、パチンコ機１０Ｃの前
面部全体の範囲で開閉自在に取り付けられた前面扉となっている。即ち、第２実施形態に
係る前面枠セット２７は、第１実施形態に係る前面枠セット１４よりも、下方へ最大限に
拡大された前面扉となっている。
【０１０３】
第２実施形態に係る前面枠セット２７は、パチンコ機１０Ｃの高さの約１／４程度に相
当する高さｈ１１（図６参照）を有する、正面視横長の長方形状の下端部が、図７に示す
ように、平面視概略Ｃ字形状をなすように前方へ湾曲しながら張り出して張出部２７Ｐが
形成されている。図６に示すように、張出部２７Ｐの前面には、中央が上下に広く、右下
および左下へかけて次第に緩やかに狭小化していき、角部が丸く形成された、全体として
正面視概略山形状の下皿開口２７Ｓが形成され、該下皿開口２７Ｓの内部が下皿となって
いる（内部構成は図示省略）。下皿開口２７Ｓの右下端近傍の位置には、遊技球発射ハン
ドル２８が手前側に突出するように配設されている。下皿開口２７Ｓの右端近傍および左
端近傍と、張出部２７Ｐの上端縁との間には、それぞれ下側スピーカ部２９が配設されて
いる。張出部２７Ｐの右上の隅部には、前面枠セット２７を開放操作するためのシリンダ
錠３７が配設されている。
【０１０４】
図７に示すように、張出部２７Ｐの上端縁部より内側には、張出部２７Ｐと相似形であ
って張出部２７Ｐより小さく、遊技球数個分程度の高さを有する内側壁部２７Ｎが、張出
部２７Ｐと同様に平面視概略Ｃ字形状をなすように前方へ湾曲しながら張り出す形状とな
るように形成されている。内側壁部２７Ｎの下端縁と張出部２７Ｐの内側面との間には底
壁部２７Ｂが形成され、該底壁部２７Ｂは張出部２７Ｐの上面部を閉塞する上壁部ともな
っている。張出部２７Ｐの上端縁部、内側壁部２７Ｎおよび底壁部２７Ｂにより、張出部
２７Ｐの上面部に、平面視概略Ｃ字形状をなして上方から遊技球数個分程度の深さで凹入
する上皿部２７Ｔが形成されている。内側壁部２７Ｎの内側は、平面視概略三日月状（部
分円状）の空隙部２７Ｃとなっている。上皿部２７Ｔの左端の奥壁部には払出口２７Ｄが
配設され、該払出口２７Ｄから上皿部２７Ｔに遊技球が払い出されるようになっている。
【０１０５】
前面枠セット２７における張出部２７Ｐより上側は、パチンコ機１０Ｃの前面部におけ
る周縁部を覆う装飾部２７Ｍとなっている。装飾部２７Ｍは、基本的に、曲線状に湾曲し
ながら延びる部位を組み合わせて構成されるやや複雑な形状に成形されている。
【０１０６】
張出部２７Ｐにおけるシリンダ錠３７の直上部からは、パチンコ機１０Ｃの前面部にお
ける右側縁に沿って上端部まで、側縁前側片２７１が延びている。側縁前側片２７１は、
シリンダ錠３７の直上部からパチンコ機１０Ｃの高さ方向中央部近傍まで、パチンコ機１
０Ｃの前面部における右側縁部を前方から覆うように延びている。そこから、パチンコ機
１０Ｃの右側縁部より離れてやや左上前方へ張り出すように延出してから、やや右上後方
へ緩やかに丸く湾曲して再びパチンコ機１０Ｃの右側縁部に復帰し、これにより、側縁前
側片２７１の中間部に、概略弓形状をなして左前方へ張り出す側縁張出部２７１Ｐが形成
されている。側縁張出部２７１Ｐは、上述の通り上下に概略弓形状に湾曲しながら延びる
とともに、パチンコ機１０Ｃの右側縁部から左前方へ、平面視概略弧状に外側へ湾曲しな
がら張り出している。側縁張出部２７１Ｐの上端部からは、パチンコ機１０Ｃの前面部に
おける右側縁部を前方から覆いながらその上端部まで延びている。側縁張出部２７１Ｐを
除く側縁前側片２７１の上下部の右側縁は、パチンコ機１０Ｃの前面部における右側縁に
一致しながら上下に延びている。側縁張出部２７１Ｐを含む側縁前側片２７１全体の左側
縁は、側縁張出部２７１Ｐの位置で左前方へ湾曲しながら延び、側縁前側片２７１の上下
部の位置で逆に右後方へ湾曲しながら延び、全体として緩やかに波状に蛇行しながら上下
に延びている。
【０１０７】
パチンコ機１０Ｃの前面部における右上の隅部には、上隅部被覆部２７２が形成されて
いる。上隅部被覆部２７２は、パチンコ機１０Ｃの前面部における右上端部から、中央方
向すなわち左下方向へ、正面視概略釣鐘形状をなして拡大しながら延びている。上隅部被
覆部２７２は、右上端部から、緩やかに湾曲面をなして前方へやや膨出しながら左下方向
へ延び、左下部では逆に後方へやや後退しながら、左下端縁部まで延びている。上隅部被
覆部２７２には、右上端部から左下端縁部まで、該上隅部被覆部２７２の正面形状に沿っ
てやや拡開しながら延びる複数（４本）の開裂部が形成され、裏側にスピーカが配置固定
されて上側スピーカ部３９となっている。
【０１０８】
上隅部被覆部２７２における右側端縁の右上半部は、側縁前側片２７１の上端部と一体
化している。上隅部被覆部２７２の右下端部からは、側縁後側片２７３が垂下するように
延出している。側縁後側片２７３は、横断面において前後にやや長く延びる帯状で、上隅
部被覆部２７２の右下端部から、側縁前側片２７１の側縁張出部２７１Ｐにおける先端部
の後方を通って、張出部２７Ｐの近傍の高さ位置まで、ほぼ直線的にほぼ垂直に延び、そ
の下端部で前方や左方へ湾曲壁状に拡がって、張出部２７Ｐや側縁前側片２７１と連続的
に一体化している。側縁後側片２７３の上端近傍からは、右前上方へむけて、平面視概略
弧状に外側へ湾曲しながら、上側架橋片２７４Ｔが延出し、側縁前側片２７１における側
縁張出部２７１Ｐより上方の位置に一体化している。側縁後側片２７３の下端近傍からは
、右前下方へむけて、平面視概略弧状に外側へ湾曲しながら、下側架橋片２７４Ｂが延出
し、側縁前側片２７１における側縁張出部２７１Ｐより下方の位置に一体化している。
【０１０９】
パチンコ機１０Ｃの前面部における右上の隅部と左上の隅部との間には、パチンコ機１
０Ｃの前面部における上縁に沿って、上縁前側片２７５が延びている。上縁前側片２７５
は、上隅部被覆部２７２における左側端縁の右上半部から、パチンコ機１０Ｃの前面部に
おける上縁部の右端から概ね１／３程度を前方から覆うように延び、そこから、パチンコ
機１０Ｃの上縁部より離れてやや左下前方へ張り出すように延出してから、やや左上後方
へ緩やかに丸く湾曲して再びパチンコ機１０Ｃの上縁部に復帰し、これにより、上縁前側
片２７５の中間部に、概略弓形状をなして前下方へ張り出す上縁張出部２７５Ｐが形成さ
れている。上縁張出部２７５Ｐは、上述の通り左右に概略弓形状に湾曲しながら延びると
ともに、パチンコ機１０Ｃの上縁部から前下方へ、縦断面概略弧状に外側へ湾曲しながら
張り出している。上縁張出部２７５Ｐの左端部からは、パチンコ機１０Ｃの前面部におけ
る上縁部を前方から覆いながらその左端部まで延びている。上縁張出部２７５Ｐを除く上
縁前側片２７５の左右両側部の上縁は、パチンコ機１０Ｃの前面部における上縁に一致し
ながら左右に延びている。上縁張出部２７５Ｐを含む上縁前側片２７５全体の下縁は、上
縁張出部２７５Ｐの位置で前下方へ湾曲しながら延び、上縁前側片２７５の左右両側部の
位置で逆に後上方へ湾曲しながら延び、全体として緩やかに波状に蛇行しながら左右に延
びている。上縁前側片２７５は、概ね、上記側縁前側片２７１を反時計回り方向に９０°
回転させて長さを短縮したような形状となっている。パチンコ機１０Ｃの前面部における
上縁部の中央からは、前下方へむけて、側面視概略弧状に外側へ湾曲しかつ正面視やや先
細となるように、中央架橋片２７６が延出し、上縁前側片２７５における上縁張出部２７
５Ｐの中央部に一体化している。
【０１１０】
装飾部２７Ｍの左側部は、上述の右側部と対称となるように構成されている。このため
、その説明は省略する。右側の上隅部被覆部２７２の左端部と、左側の上隅部被覆部２７
２の右端部との間には、上縁後側片２７７が一体的に延びている。上縁後側片２７７は、
縦断面において前後にやや長い帯状で、上縁前側片２７５における上縁張出部２７５Ｐの
先端の後方を通って、左右にほぼ直線的にほぼ水平に延びている。
【０１１１】
以上の通り、装飾部２７Ｍは、パチンコ機１０Ｃの前面部における周縁部を前方から覆
うように、両側の側縁前側片２７１、２７１および上縁前側片２７５が蛇行しながら延び
、右上の隅部および左上の隅部を前方から覆うようにそれぞれ上隅部被覆部２７２、２７
２が形成され、さらに、正面視ではこれら両側縁前側片２７１、２７１、上縁前側片２７
５および両上隅部被覆部２７２、２７２の内側端を結ぶように、これらよりもやや後方の
位置に、両側縁後側片２７３、２７３および上縁後側片２７７が延びる構成となっている
。即ち、装飾部２７Ｍは、パチンコ機１０Ｃの前面部における左右両側縁および上縁から
、これよりやや内側寄り（中央寄り）の位置までの、ある程度の幅の領域すなわち周縁領
域を前方から覆う枠状に成形され、該装飾部２７Ｍよりも内側（中央側）の領域を開放し
て第１開口部を形成している。また、装飾部２７Ｍは、パチンコ機１０Ｃの前面部におけ
る左右両側縁および上縁から、前方へ膨出するように湾曲しながら内側へ延出しており、
したがって概ね中空となっている。また、両側縁張出部２７１Ｐ、２７１Ｐおよび上縁張
出部２７５Ｐのそれぞれの内側に形成された概略三日月状（部分円状）の開口部２７１Ｓ
、２７１Ｓ、２７５Ｓや、両側縁前側片２７１、２７１と両側縁後側片２７３、２７３と
の間の部分等のように、装飾部２７Ｍが占有する枠状の領域内に、前後に貫通していて後
方が視認可能となっている領域が多く形成されて第２開口部となっている。
【０１１２】
前面枠セット２７は、図８に模式的に示すように、ベース枠部材４３に前方から取り付
けられる。同図に示すように、前面枠セット２７において、例えば装飾部２７Ｍは、周端
縁部（最外端縁部）が周壁状に後方へ延出し、一方これに対応して、ベース枠部材４３の
周端縁部（最外端縁部）が周壁状に前方へ延出しており、両者の周壁状部を突き合わせる
ようにして、前面枠セット２７がベース枠部材４３に対して取り付けられる。前面枠セッ
ト２７の左側部はヒンジ構造により上下方向の軸を中心に回動自在に取り付けられ（図示
省略）、これにより図８に矢印Ａ１１で示すように、前面枠セット２７がベース枠部材４
３に対し左側縁部を軸として開き戸状に開閉自在に取り付けられている。前面枠セット２
７の右側部は、係合爪と係合突起とによりベース枠部材４３の右側部に係合してロックさ
れ得るように構成され、このロックが前記シリンダ錠３７での解錠操作により解除され得
るようになっている（図示省略）。
【０１１３】
前面枠セット２７における周壁状部の前後方向中央部近傍には、内側に延出する取付レ
ール２７Ｒが形成されており、該取付レール２７Ｒに嵌着するようにしてガラスパネル４
４が取付固定されている。ガラスパネル４４は、パチンコ機１０Ｃの前面部を、これに平
行な体勢でほぼ全面的に覆う透明パネルとなっている。
【０１１４】
ベース枠部材４３の内側において、前側端からやや内奥方の位置には内側へ断面矩形状
に突出する取付段部４３Ｓが形成されており、該取付段部４３Ｓに遊技盤４６が嵌着する
ようにして固定手段（図示省略）により取付固定されている。遊技盤４６は、図６および
図７に示すように、上端縁および両側端縁が前面枠セット２７における装飾部２７Ｍの上
端縁および両側端縁に可及的に近接するとともに、下端縁が前面枠セット２７における張
出部２７Ｐの上端縁よりもやや下方まで入り込むような寸法に調製されており、これにと
もない該遊技盤４６の盤面には、上方および両側方へ大きく広がるとともに、張出部２７
Ｐの裏側にまで入り込む程度に下方へ大きく広がる遊技領域が形成されている。また、遊
技盤４６は透明性を有する樹脂で成形され、裏面には、前方から視認可能なデザインとさ
れた印刷層を含む塗膜層が形成されている（図示省略）。この塗膜層は、印刷層のデザイ
ンを前方から視認し得るようにするとともに、遊技盤４６の後方の状況を隠蔽して前方か
ら視認し難くするものとなっているが、後述するＬＥＤ基板４７からの発光を後方から受
けて光るようになっている。なお、図６および図７における４８は装飾図柄表示装置であ
る。
【０１１５】
図８に示すように、ベース枠部材４３の内側において取付段部４３Ｓより内側は凹部と
なっており、該凹部の内奥面には発光部としてＬＥＤ基板４７が配置固定されている。該
ＬＥＤ基板４７から前方の遊技盤４６へ光が照射され、これにより、パチンコ機１０Ｃの
前方からみて遊技盤４６が明るく光って視認されるようになっている。
【０１１６】
（第２実施形態による作用）
第２実施形態に係るパチンコ機１０Ｃは、遊技球が流下する遊技領域が前面に形成され
た遊技盤４６と、上記遊技盤４６の遊技領域を前方から視認可能とする第１開口部として
装飾部２７Ｍより内側の領域を有して上記遊技盤４６の盤面を覆う前面扉として前面枠セ
ット２７とを備える構成において、上記前面枠セット２７が、上記第１開口部の外側すな
わち装飾部２７Ｍが占有する枠状の領域内に、遊技盤４６の遊技領域の少なくとも一部を
前方から視認可能とする第２開口部として開口部２７１Ｓ、２７１Ｓ、２７５Ｓ等を有す
る構成となっている。
【０１１７】
第２実施形態に係るパチンコ機１０Ｃの構成によれば、第１開口部である装飾部２７Ｍ
より内側の領域によって遊技領域が前方から視認可能となっているのに加えて、第２開口
部である開口部２７１Ｓ、２７１Ｓ、２７５Ｓ等に対応する遊技盤４６の盤面の周縁部が
前方から視認可能となっているので、この第２開口部に対応する部分も遊技領域の一部を
構成するスペースとして確保されている。即ち、第２開口部を配設することにより、遊技
領域が効果的に拡大されている。また、この第２開口部に対応する部分を遊技領域としな
い場合でも、遊技盤４６の盤面を前方から視認可能とすることにより、少なくとも、あた
かもこの第２開口部に対応する部分まで遊技領域となっているかのように見える構成とす
ることができる。
【０１１８】
さらに、遊技盤の盤面において第２開口部に対応する部分を遊技領域としない場合、第
２開口部に対応する部分の盤面を遊技領域内の盤面と同様の構成とすると、この遊技領域
としない部分をより遊技領域らしく見えるようにすることができる。
【０１１９】
さらにまた、遊技盤４６において少なくとも第２開口部に対応する部分、即ち遊技盤４
６の全体が透明性を有する樹脂で成形され、この部分の裏側に発光部としてＬＥＤ基板４
７が配設され、遊技盤４６と第１および第２開口部とを通して前方に光が照射される構成
となっているので、遊技盤４６自体が発光しているかのような発光態様とすることができ
、したがって効果的な発光演出が可能となっている。
【０１２０】
また、前面枠セット２７の下端部に、前方へ張り出す張出部２７Ｐが形成され、該張出
部２７Ｐの内側に空隙部２７Ｃが形成されているので、遊技盤４６の盤面における空隙部
２７Ｃの後方の領域が遊技者から視認可能となっている。したがって遊技領域がこの領域
を利用して下方まで拡大されている。
【０１２１】
即ち、一般に、パチンコ機の下端部においては、例えば第１実施形態に係るパチンコ機
１０を示す図２にも表れているように、前面枠セット１４における上皿１９の配設位置以
下の部分では、基本的に裏側（後側）の状況は隠蔽されて前方から視認し得ないようにな
っている。これに対し、第２実施形態に係るパチンコ機１０Ｃにおいては、図９に模式的
に示すように、上皿部２７Ｔが配設されている張出部２７Ｐが前方へ張り出すように形成
され、これにともない、前面枠セット２７のすぐ後方に配置されるガラスパネル４４の前
方には空隙部２７Ｃが形成されている。ここで、通常の遊技体勢にある遊技者の眼は上皿
部２７Ｔよりも高い位置にあるため、張出部２７Ｐの裏側（後側）の状況であっても、図
９の矢印Ａ１２で示すように、空隙部２７Ｃを通して前上方から視認することができる。
即ち、遊技盤４６の盤面において、上皿部２７Ｔが配設されている張出部２７Ｐの上端と
等しい高さ位置以下の下端部領域Ｒ１であっても、図９の矢印Ａ１２で示すように、前上
方からの遊技者の視線が空隙部２７Ｃを通して到達することができるため、前方から視認
可能となっている。したがって、遊技盤４６の盤面においてこの下端部領域Ｒ１にまでも
及ぶように遊技領域を下方まで拡大することが可能となっている。即ち、上述のように張
出部２７Ｐを前方へ張り出すように形成して空隙部２７Ｃを形成することにより、張出部
２７Ｐの裏側部までも及ぶように遊技領域が下方まで拡大された構成となっている。
【０１２２】
これにより、第２実施形態に係るパチンコ機１０Ｃにおいては、上述のように第２開口
部である開口部２７１Ｓ、２７１Ｓ、２７５Ｓ等を形成することによって、パチンコ機１
０Ｃの前面部における両側方および上方へ遊技領域が従来よりも大きく確保されていると
ともに、張出部２７Ｐを前方へ張り出すように形成して空隙部２７Ｃを形成することによ
り、パチンコ機１０Ｃの前面部における下方へ遊技領域が従来よりも大きく確保されてい
る。即ち、遊技盤４６の盤面において全方向的に従来よりも大幅に拡大された遊技領域が
形成されている。
【０１２３】
さらにまた、装飾部２７Ｍがパチンコ機１０Ｃの前面部における周縁部を局所的に覆う
ように構成され、これにより、第１開口部である装飾部２７Ｍより内側の領域が大きく開
放されるように形成されている。これにより、遊技領域の視認性や開放感も大幅に向上し
た構成となっている。
【０１２４】
また、従来の前面扉では、遊技領域を視認可能とする中央の開口部の外側の領域に、Ｌ
ＥＤ基板等の発光手段が内部に配設されることも多くなっているが、これに対し第２実施
形態に係るパチンコ機１０Ｃにおいては、上述のように光透過性を有する遊技盤４６の後
方（裏面側）に発光部であるＬＥＤ基板４７が配置され、前面枠セット２７の装飾部２７
Ｍは、上隅部被覆部２７２、２７２を除いて、基本的に内部に部品は配設されず概ね中空
となっているので、上述のように開口部２７１Ｓ、２７１Ｓ、２７５Ｓ等の第２開口部の
開口面積が大きく確保できるようになっている。また、装飾部２７Ｍは、このように内部
に部品を配設する必要がなく、また開口面積も大きくすることを意図する部材となってい
ることから、やや細長く延びる両側の側縁前側片２７１、２７１および上縁前側片２７５
が波状に蛇行しながら延びるようなデザインがむしろ好適となっている。即ち、内部に部
品を配置したり内部を隠蔽するように覆ったりすることを意図するような従来の前面扉の
場合とは反対に、線状の部分が多くの空隙を形成しながら任意の曲線形状をなして延びる
ようなデザインの方が好ましくなっていて、このため従来よりも変則的でデザイン性（装
飾性）が高く、視覚的にインパクトがあって眼を引きやすい装飾部２７Ｍとなっている。
また、部材の体積も小さいためそのぶん構成材料も少なくてコストも低減されている。即ち、低コストであって、開口面積も大きく確保でき、大胆で斬新なデザインとして意匠性にも優れた装飾部２７Ｍとなっている。
【０１２５】
また特に、装飾部２７Ｍにおいては両側縁張出部２７１Ｐ、２７１Ｐが、それぞれ左前
方および右前方へ、即ち中央側へ次第に前方へ膨出しながら張り出しているので、隣の遊
技者からの視線がこの両側縁張出部２７１Ｐ、２７１Ｐに妨げられるようになっている。
これにより、例えば遊技領域の中央部における遊技の状況が隣の遊技者から視認され難く
、したがって、隣の遊技者からの視線を気にすることなく落ち着いて遊技に集中しやすい
という心理的な効果も得られる形状となっている。即ち、装飾部２７Ｍの両側縁張出部２
７１Ｐ、２７１Ｐが、デザイン性（装飾性）を向上させるだけでなく、目隠し（隠蔽部材
）のような機能も奏するようになっている。
【０１２６】
また、第２実施形態に係るパチンコ機１０Ｃは、遊技球が流下する遊技領域が前面に形
成された遊技盤４６と、上記遊技盤４６の遊技領域を前方から視認可能とする第１開口部
として装飾部２７Ｍより内側の領域を有して上記遊技盤４６の盤面を覆う前面扉として前
面枠セット２７とを備える構成において、上記前面枠セット２７が、上記第１開口部の内
周縁の少なくとも一部を構成する装飾部２７Ｍの両側縁後側片２７３、２７３および上縁
後側片２７７が、上記遊技盤４６の盤面との間に隙間部２７Ｇを形成するように配設され
ている構成となっている。
【０１２７】
第２実施形態に係るパチンコ機１０Ｃの構成によれば、図８に矢印Ａ１３で示すように
、第１開口部の外側の領域においても、隙間部２７Ｇを通して、遊技盤４６の盤面が前方
から視認しやすくなっている。即ち、図８に矢印Ａ１３で示すように、遊技者の視線が、
前方の中央あたりから隙間部２７Ｇを通して外側へ斜方に延び、遊技盤４６の盤面におけ
る第１開口部より外側の周縁部にも及ぶことができるようになっている。
【０１２８】
換言すれば、第２開口部である開口部２７１Ｓ、２７１Ｓ、２７５Ｓ等を配設する以外
にも、第１開口部の内周縁の少なくとも一部と遊技盤４６の盤面との間に隙間部２７Ｇを
形成することによっても、遊技盤４６の盤面の周縁部を前方から視認可能としてこの周縁
部も遊技領域の一部を構成するスペースとして確保されている。
【０１２９】
また、第２実施形態に係るパチンコ機１０Ｃは、遊技球が流下する遊技領域が前面に形
成された遊技盤４６と、上記遊技盤４６の盤面を覆う前面扉として前面枠セット２７とを
備える構成において、上記前面枠セット２７が、前面側の前面部材となっていて、後面側
のベース部材であるベース枠部材４３に支持された構成を有し、上記前面枠セット２７が
、光透過性を有する支持部材であるガラスパネル４４と一体化された構成となっている。
【０１３０】
従来の前面扉としては、例えば図１０に示す前面扉１４９のように、装飾形状に成形さ
れた前面部材１５７が、後面側（裏面側）のベース部材１５８に支持固定された構成とな
っているのが一般的となっている。また、発光部を設ける場合には、通常、同図に示すよ
うにベース部材１５８上にＬＥＤ基板１６２等の光源が配設される。
【０１３１】
上述のような構成の前面扉１４９の場合、例えばＬＥＤ基板１６２の配置のようなベー
ス部材１５８の構成は、前面部材１５７の構成により大きく制約を受ける。例えば特に、
前面部材１５７をベース部材１５８に安定して支持させて前面扉１４９全体としての剛性
ないし強度を十分に確保するには、図１０に示すように、前面部材１５７を端縁部だけで
なく中間部でもベース部材１５８に対して支持させる必要がある。図１０に示す前面扉１
４９では、前面部材１５７の中央部に中央支持突起１５７Ｃが後方へ延出するように形成
され、この中央支持突起１５７Ｃの先端がベース部材１５８の中央部に支持固定されるよ
うになっている。このため必然的に、ベース部材１５８においてはこの中央支持突起１５
７Ｃの形成位置を回避するようにＬＥＤ基板１６２を配置する必要がある。したがって、
例えば、前面側の前面部材１５７のデザインが変更されると、後面側のベース部材１５８
もＬＥＤ基板１６２ごと変更する必要がある。このことは、前面扉１４９全体としての作
製コストが高くつく一因ともなる。
【０１３２】
また、上述のような構成では、前面扉１４９全体としての剛性ないし強度を十分に確保
するため、前面部材１５７がベース部材１５８に対しある程度近接するようにして支持さ
れている。このため、前面部材１５７の前壁部１５７ＴとＬＥＤ基板１６２との距離ｄ１
１が小さく、該前壁部１５７Ｔのすぐ後方のＬＥＤ基板１６２から前方へ光が照射される
ようになっているので、特に発光部がＬＥＤ基板１６２となっていることから、発光部の
配設位置が強く光り、発光部から離れた位置では弱く光って、全体として光り方が不均一
、即ちムラができて斑となりやすいという問題もある。
【０１３３】
これに対し、上記第２実施形態に係るパチンコ機１０Ｃの構成によれば、前面部材であ
る前面枠セット２７が支持部材であるガラスパネル４４と一体化されているので、前面枠
セット２７がベース部材であるベース枠部材４３に対してある程度の構造的な自立性を有
するものとなる。これにより、前面枠セット２７の構成が変更されても、ベース枠部材４
３は変更する必要がなく、元のベース枠部材４３をそのまま変更後の前面枠セット２７材
に組み合わせて用いることも可能となる。したがってそのぶん、パチンコ機１０Ｃ全体と
しての作製コストを低減することができる。
【０１３４】
また、前面枠セット２７がベース枠部材４３に対してある程度の構造的な自立性を有す
ることにより、前面枠セット２７をベース枠部材４３から前方へ大きく突出させるように
して配設することができ、これにともない発光部を前面枠セット２７の前面から後方へ離
隔した位置に配置することができるようになっている。第２実施形態に係るパチンコ機１
０Ｃでは、遊技盤４６が透明性を有し、図８に示すように、発光部であるＬＥＤ基板４７
が遊技盤４６の後方（裏面側）に配置されているので、発光部であるＬＥＤ基板４７が前
面枠セット２７の前面から後方へより大きく離隔した位置に配置することができるように
なっている。また、遊技盤４６の後方のＬＥＤ基板４７から前方へ光が照射されるので、
遊技盤４６の塗膜層が効果的に発光し得る構成ともなっている。
【０１３５】
また、前面扉には通常、遊技領域を視認可能な状態で覆うガラス板等の透明板が設けら
れるが、上記第２実施形態に係るパチンコ機１０Ｃにおいては、ガラスパネル４４が支持
部材としても機能するようになっている。即ち、既存の部材である透明板としてのガラス
パネル４４が支持部材としての機能も奏する構成となっている。これにより、部品点数を
増加することなく、上述のように構成の変更に伴うコストを低減することができるととも
に、全体的に均一に発光させることが可能な前面枠セット２７を得ることができるように
なっている。
【０１３６】
（２）第３実施形態
上記第２実施形態においては、前面扉である前面枠セット２７が、前面側の前面部材と
なっていて、この前面部材としての前面枠セット２７が、後面側のベース部材であるベー
ス枠部材４３に支持された構成となっていた。即ち、前面扉である前面枠セット２７自体
が、前面扉とは別のベース部材であるベース枠部材４３に支持された構成となっていた。
これに対し、例えば図１１に示す変更態様のように、前面側の前面部材５７が後面側のベ
ース部材５８に支持された構成を有する前面扉４９としてもよい。即ち、前面扉４９が、
前面側の前面部材５７と、該前面部材５７を支持する後面側のベース部材５８とを備える
構成としてもよい（以下、第３実施形態とも称す）。
【０１３７】
前面部材５７は、図１１に示すように、光透過性を有する樹脂よりなり、遊技機の前面
を覆う概略縦長の矩形状の正面形状を有するカバー状の部材となっており、前面部が前後
に波打つように隆起する形状に成形されている。前面部材５７の周縁からは周壁５７Ｐが
後方へ延出している。前面部材５７の内面部（後面部）においては、前壁部５７Ｔにおけ
る左右方向中央部から中央支持突起５７Ｃが後方へ延出し、前壁部５７Ｔにおける左右方
向中央部と周縁との間の位置すなわち中央支持突起５７Ｃと周壁５７Ｐとの間の位置から
中間支持突起５７Ｍが後方へ延出している。中央支持突起５７Ｃの延出端の前後位置は周
壁５７Ｐの延出端の前後位置とほぼ同等となっており、中間支持突起５７Ｍの延出端の前
後位置は周壁５７Ｐの延出端の前後位置よりも前方となっている。
【０１３８】
前面部材５７の裏面側（後面側）には、支持部材５９が介装されている。支持部材５９
は、光透過性を有する硬質の樹脂よりなり、前面部材５７とほぼ同一の、概略縦長の矩形
状の正面形状を有する部材となっている。支持部材５９の周縁部は側方へ延出して小幅の
フランジ部５９Ｆが形成され、該フランジ部５９Ｆが、前面部材５７の周壁５７Ｐの延出
端に後方から当接するようになっている。フランジ部５９Ｆより内側は、中央側へやや傾
斜しながら前方へ延びて側壁部を形成し、側壁部の前端から中央側へ、遊技機の前面に平
行に延びて前壁部５９Ｔを形成しており、全体として、前面部材５７の周壁５７Ｐの延出
端から内側（前側）へ概略皿形状に凹入する形状となっている。前壁部５９Ｔにおいて前
面部材５７の中央支持突起５７Ｃに対応する位置には、該中央支持突起５７Ｃを内包する
ように前方から後方へ凹入する中央凹入部５９Ｃが形成されている。
【０１３９】
支持部材５９は、図１１に示すように、前壁部５９Ｔが内部に入り込むようにして前面
部材５７の内側（後面側）に嵌着され、フランジ部５９Ｆが前面部材５７の周壁５７Ｐの
延出端に固定手段（図示省略）で固定される。これにより、前面部材５７が支持部材５９
と一体化される。このとき、前面部材５７における中央支持突起５７Ｃの先端は、支持部
材５９における中央凹入部５９Ｃの内奥面に突き当たり、前面部材５７における中間支持
突起５７Ｍの先端は、支持部材５９における前壁部５９Ｔの表面（前面）に突き当たる。
これにより、中央支持突起５７Ｃおよび中間支持突起５７Ｍがつっかえのように機能して
、前面部材５７の前壁部５７Ｔが支持部材５９に対して支持されるようになっている。
【０１４０】
ベース部材５８は、前面部材５７とほぼ同一の、概略縦長の矩形状の正面形状を有する
樹脂製の板状部材となっている。ベース部材５８には、上記支持部材５９と一体化された
前面部材５７が前方から嵌合され、周縁部で固定手段（図示省略）で固定される。これに
より、前面側の前面部材５７が後面側のベース部材５８に支持されて前面扉４９が構成さ
れる。ベース部材５８の左側縁部は、遊技機の内枠の左側縁部に対して上下方向の軸を中
心に回動可能に枢着され、これにより前面扉４９が開き戸式に開閉し得るように遊技機に
軸支される（軸支構造は図示省略）。
【０１４１】
ベース部材５８の前面には、発光部としてＬＥＤ基板６２が配置固定されている。ＬＥ
Ｄ基板６２は、支持部材５９の内側に納まるように配置されている。
【０１４２】
（第３実施形態による作用）
第３実施形態に係るパチンコ機は、遊技球が流下する遊技領域が前面に形成された遊技
盤と、上記遊技盤の盤面を覆う前面扉４９とを備える構成において、上記前面扉４９が、
前面側の前面部材５７が後面側のベース部材５８に支持された構成を有し、上記前面部材
５７が、光透過性を有する支持部材５９と一体化された構成となっている。
【０１４３】
上記第３実施形態に係るパチンコ機の構成によれば、前面部材５７が支持部材５９と一
体化されているので、前面部材５７がベース部材５８に対してある程度の構造的な自立性
を有するものとなっている。例えば特に、前面部材５７の中央支持突起５７Ｃおよび中間
支持突起５７Ｍは支持部材５９に支持される構成となっており、ベース部材５８には支持
されていない。このため、例えば上述の図１０に示すような従来の前面扉１４９の場合と
は異なって、ベース部材５８においてはこれら中央支持突起５７Ｃおよび中間支持突起５
７Ｍの形成位置に制約されることなくＬＥＤ基板６２を配置することも可能となっている
。よって、前面部材５７の構成が変更されても、ベース部材５８は変更する必要がなく、
元のベース部材５８をそのまま変更後の前面部材５７に組み合わせて用いることも可能と
なっている。したがってそのぶん、前面扉４９全体としての作製コストが低減されるよう
になっている。また、前面部材５７がベース部材５８に対してある程度の構造的な自立性
を有することにより、前面部材５７がベース部材５８から前方へ大きく突出させるように
して配設されており、これにともない支持部材５９とベース部材５８との間の空隙Ｓ１１
も大きく確保されている。したがって、支持部材５９とベース部材５８とが干渉し難くな
っており、これにより大幅な変更にも対応しやすくなっている。
【０１４４】
また、前面部材５７がベース部材５８から前方へ大きく突出させるようにして配設され
るのにともない、発光部であるＬＥＤ基板６２が前面部材５７の前壁部５７Ｔから後方へ
離隔した位置に配置されている。即ち、前面部材５７の前壁部５７ＴとＬＥＤ基板６２と
の距離ｄ１２が、例えば上述の図１０に示すような従来の前面扉１４９における前面部材
１５７の前壁部１５７ＴとＬＥＤ基板１６２との距離ｄ１１よりも大きく確保されている
。したがって、前面扉４９を全体的にムラなく均一に発光させることが可能な構成となっ
ている。
【０１４５】
また、前面扉には通常、遊技領域を視認可能な状態で覆うガラス板等の透明板が設けら
れるが、上記第３実施形態に係るパチンコ機においては、支持部材５９が光透過性を有す
るものとなっているので、支持部材５９が透明板としても機能することができる。換言す
れば、既存の部材である透明板に支持部材としての機能も付与する構成とすることにより
、部品点数を増加することなく、上述のように構成の変更に伴うコストを低減することが
できるとともに、全体的に均一に発光させることが可能な前面扉４９を得ることができる
ようになっている。
【０１４６】
また、前面部材５７の周縁部に周壁５７Ｐが形成され、支持部材５９の周縁部にフラン
ジ部５９Ｆが形成され、支持部材５９のフランジ部５９Ｆが前面部材５７の周壁５７Ｐの
延出端に固定されているので、簡潔な構成により、前面部材５７と支持部材５９とが安定
して容易かつ確実に一体化されるようになっている。
【０１４７】
また、前面部材５７に、中央支持突起５７Ｃが支持部材５９に向けて延出するように形
成され、支持部材５９に、上記中央支持突起５７Ｃを内包し得る中央凹入部５９Ｃが形成
されているので、前面部材５７の中央部が支持部材５９に対しより安定して確実に支持さ
れるようになっている。
【０１４８】
なお本明細書は、以下の内容をいずれも開示している。
【０１４９】
本発明にかかる遊技機は、手段Ａ１として、
遊技球が流下する遊技領域が前面に形成された遊技盤と、前記遊技盤の遊技領域を前方
から視認可能とする第１開口部を有して前記遊技盤の盤面を覆う前面扉とを備える遊技機
であって、
前記前面扉が、前記第１開口部の外側に、前記遊技盤の遊技領域の少なくとも一部を前
方から視認可能とする第２開口部を有することを特徴とする。
【０１５０】
本発明において、「遊技盤の盤面」とは、遊技領域と遊技領域以外の領域とのいずれを
も含意する。
【０１５１】
上記手段Ａ１の構成によれば、第１開口部によって遊技領域を前方から視認可能とする
のに加えて、第２開口部に対応する前記遊技盤の遊技領域の少なくとも一部を前方から視
認可能とすることができるので、この第２開口部に対応する部分まで遊技領域の一部を構
成するスペースとして確保することができる。
【０１５２】
また、本発明にかかる遊技機は、手段Ａ２として、手段Ａ１の遊技機において、
前記遊技盤において少なくとも前記第２開口部に対応する部分が透明性を有する樹脂で
成形され、この部分の裏側に発光部が配設され、前記遊技盤と前記第２開口部とを通して
前方に光が照射されるようになっていることを特徴とする。
【０１５３】
上記手段Ａ２の構成によれば、遊技盤自体が発光しているかのような発光態様とするこ
とができ、したがって効果的な発光演出が可能となる。
【０１５４】
また、本発明にかかる遊技機は、手段Ａ３として、手段Ａ１または手段Ａ２の遊技機に
おいて、
前記前面扉に、前方へ張り出す張出部が形成され、前記張出部の内側に空隙部が形成さ
れていることを特徴とする。
【０１５５】
上記手段Ａ３の構成によれば、遊技盤の盤面における空隙部の後方の領域が遊技者から
視認可能となる。したがってこの領域を利用して遊技領域を拡大することができる。
【０１５６】
また、本発明にかかる遊技機は、手段Ｂ１として、
遊技球が流下する遊技領域が前面に形成された遊技盤と、前記遊技盤の遊技領域を前方
から視認可能とする第１開口部を有して前記遊技盤の盤面を覆う前面扉とを備える遊技機
であって、
前記第１開口部の内周縁の少なくとも一部が、前記遊技盤の盤面との間に隙間部を有す
ることを特徴とする。
【０１５７】
上記手段Ｂ１の構成によれば、第１開口部の外側の領域においても、隙間部を通して、
遊技盤の盤面が前方から視認しやすくなる。即ち、遊技者の視線が、前方の中央あたりか
ら隙間部を通して外側へ斜方に延び、遊技盤の盤面における第１開口部より外側の周縁部
にも及ぶことができるようになる。
【０１５８】
換言すれば、第１開口部の内周縁の少なくとも一部と遊技盤の盤面との間に隙間部を形 成することによって、遊技盤の盤面の周縁部を前方から視認可能としてこの周縁部も遊技
領域の一部を構成するスペースとして確保することができる。
【０１５９】
また、本発明にかかる遊技機は、手段Ｃ１として、
遊技球が流下する遊技領域が前面に形成された遊技盤と、前記遊技盤の盤面を覆う前面
扉とを備える遊技機であって、
前記前面扉が、前面側の前面部材が後面側のベース部材に支持された構成を有し、
前記前面部材が、光透過性を有する支持部材と一体化されていることを特徴とする。
【０１６０】
本発明において、「ベース部材」とは、前面扉を構成するベース部材と、前面扉とは別
のベース部材とのいずれをも含意する。即ち、後面側のベース部材が前面側の前面部材と
ともに前面扉を構成していてもよく、あるいは、前面扉自体が前面側の前面部材となって
いて、この前面部材としての前面扉が、前面扉とは別の部材である後面側のベース部材に
支持された構成となっていてもよい。
【０１６１】
上記手段Ｃ１の構成によれば、前面部材が支持部材と一体化されているので、前面部材
がベース部材に対してある程度の構造的な自立性を有するものとなる。これにより、前面
部材の構成が変更されても、ベース部材は変更する必要がなく、元のベース部材をそのま
ま変更後の前面部材に組み合わせて用いることも可能となる。したがってそのぶん、前面
扉全体としての作製コストを低減することができる。また、前面部材がベース部材に対し
てある程度の構造的な自立性を有することにより、前面部材をベース部材から前方へ大き
く突出させるようにして配設することができ、これにともない支持部材とベース部材との
間の空隙も大きく確保することができる。したがって、支持部材とベース部材とが干渉し
難くなり、これにより大幅な変更にも対応しやすくなる。
【０１６２】
また、前面部材がベース部材から前方へ大きく突出させるようにして配設することがで
きるのにともない、発光部を前面部材の前面から後方へ離隔した位置に配置することがで
きる。したがって、前面扉を全体的にムラなく均一に発光させることができる。
【０１６３】
また、前面扉には通常、遊技領域を視認可能な状態で覆うガラス板等の透明板が設けら
れるが、上記手段Ｃ１の構成によれば、支持部材が光透過性を有するものとなっているの
で、支持部材が透明板としても機能することができる。換言すれば、既存の部材である透
明板に支持部材としての機能も付与する構成とすることにより、部品点数を増加すること
なく、上述のように構成の変更に伴うコストを低減することができるとともに、全体的に
均一に発光させることが可能な前面扉を得ることができる。
【０１６４】
また、本発明にかかる遊技機は、手段Ｃ２として、手段Ｃ１の遊技機において、
前記前面部材の周縁部に周壁が形成され、前記支持部材の周縁部にフランジ部が形成さ
れ、前記支持部材の前記フランジ部が前記前面部材の前記周壁の延出端に固定されている
ことを特徴とする。
【０１６５】
上記手段Ｃ２の構成によれば、簡潔な構成により、前面部材と支持部材とを安定して容
易かつ確実に一体化することができる。
【０１６６】
また、本発明にかかる遊技機は、手段Ｃ３として、手段Ｃ１または手段Ｃ２の遊技機に
おいて、
前記前面部材に、中央支持突起が前記支持部材に向けて延出するように形成され、前記
支持部材に、前記中央支持突起を内包し得る中央凹入部が形成されていることを特徴とす
る。
【０１６７】
上記手段Ｃ３の構成によれば、前面部材の中央部が支持部材に対しより安定して確実に
支持されるようになる。
【０１６８】
上記手段Ａ１〜手段Ａ３と手段Ｂ１と手段Ｃ１〜手段Ｃ３とは、複数を組み合わせて実
施するようにしてもよい。
【産業上の利用可能性】
【０１６９】
本発明は、パチンコ機等の遊技機に好適に実施することが可能である。
【符号の説明】
【０１７０】
１０：パチンコ機（遊技機）
１４：前面枠セット（前面扉）
１０１：窓部（第１開口部）
１０３Ｃ：中上開口部（第２開口部）
１０３Ｌ：左上開口部（第２開口部）
１０３Ｒ：右上開口部（第２開口部）
【図１】
2020073224.tif 000003
【図２】
2020073224.tif 000004
【図３】
2020073224.tif 000005
【図４】
2020073224.tif 000006
【図５】
2020073224.tif 000007
【図６】
2020073224.tif 000008
【図７】
2020073224.tif 000009
【図８】
2020073224.tif 000010
【図９】
2020073224.tif 000011
【図１０】
2020073224.tif 000012
【図１１】
2020073224.tif 000013